(57)【特許請求の範囲】
【請求項１】
フレキシブル帯域幅システム上でボイスサービスを提供するための方法であって、
前記フレキシブル帯域幅システムのスケーリング係数を識別することと、
前記スケーリング係数に基づいて、前記フレキシブル帯域幅システムの１つまたは複数の態様をスケーリングすることと、
コード領域内で１つまたは複数の態様を変更することを通して、前記フレキシブル帯域幅システムの前記１つまたは複数の態様の前記スケーリングを補償することとを備え、
ここにおいて、前記コード領域内で１つまたは複数の態様を変更することを通して、前記フレキシブル帯域幅システムの前記１つまたは複数の態様の前記スケーリングを補償することが、
ＭＡＣ層からボイスフレームを受信することと、
ＰＨＹ層における１つまたは複数の通常フレーム境界に対して、１つまたは複数のスロット境界を決定することと、
前記１つまたは複数のスロット時間境界のうちの１つにおいて、前記ボイスフレームを送信することとを備え、
ここにおいて、前記１つまたは複数のスロット時間境界のうちの１つにおいて、前記ボイスフレームを送信することが、
ある時間期間だけ前記ボイスフレームを送信することを遅延させることをさらに備える、
方法。
【請求項２】
前記時間期間が追加のスロット時間境界を備える、請求項１に記載の方法。
【請求項３】
フレキシブル帯域幅システム上でボイスサービスを提供するための方法であって、
前記フレキシブル帯域幅システムのスケーリング係数を識別することと、
前記スケーリング係数に基づいて、前記フレキシブル帯域幅システムの１つまたは複数の態様をスケーリングすることと、
コード領域内で１つまたは複数の態様を変更することを通して、前記フレキシブル帯域幅システムの前記１つまたは複数の態様の前記スケーリングを補償することとを備え、
ここにおいて、前記コード領域内で１つまたは複数の態様を変更することを通して、前記フレキシブル帯域幅システムの前記１つまたは複数の態様の前記スケーリングを補償することが、
ボイスフレームを識別することと、
前記スケーリング係数に基づいて、前記ボイスフレームを複数のサブブロックにセグメント化することと、
前記複数のサブブロックを複数のチャネル上で同時に送信することとを備える、
方法。
【請求項４】
前記複数のチャネルのカーディナリティが、前記スケーリング係数に等しい、請求項３に記載の方法。
【請求項５】
前記複数のチャネルのカーディナリティが、前記スケーリング係数を超える、請求項３に記載の方法。
【請求項６】
フレキシブル帯域幅システム上でボイスサービスを提供するために構成されたワイヤレス通信システムであって、
前記フレキシブル帯域幅システムのスケーリング係数を識別するための手段と、
前記スケーリング係数に基づいて、前記フレキシブル帯域幅システムの１つまたは複数の態様をスケーリングするための手段と、
コード領域内で１つまたは複数の態様を変更することを通して、前記フレキシブル帯域幅システムの前記１つまたは複数の態様の前記スケーリングを補償するための手段とを備え、
ここにおいて、前記コード領域内で１つまたは複数の態様を変更することを通して、前記フレキシブル帯域幅システムの前記１つまたは複数の態様の前記スケーリングを補償するための前記手段が、
ＭＡＣ層からボイスフレームを受信するための手段と、
ＰＨＹ層における１つまたは複数の通常フレーム境界に対して、１つまたは複数のスロット境界を決定するための手段と、
前記１つまたは複数のスロット時間境界のうちの１つにおいて、前記ボイスフレームを送信するための手段とを備え、
ここにおいて、前記１つまたは複数のスロット時間境界のうちの１つにおいて、前記ボイスフレームを送信するための前記手段が、
ある時間期間だけ前記ボイスフレームを送信することを遅延させるための手段をさらに備える、
ワイヤレス通信システム。
【請求項７】
前記時間期間が追加のスロット時間境界を備える、請求項６に記載のワイヤレス通信システム。
【請求項８】
フレキシブル帯域幅システム上でボイスサービスを提供するために構成されたワイヤレス通信システムであって、
前記フレキシブル帯域幅システムのスケーリング係数を識別するための手段と、
前記スケーリング係数に基づいて、前記フレキシブル帯域幅システムの１つまたは複数の態様をスケーリングするための手段と、
コード領域内で１つまたは複数の態様を変更することを通して、前記フレキシブル帯域幅システムの前記１つまたは複数の態様の前記スケーリングを補償するための手段とを備え、
ここにおいて、前記コード領域内で１つまたは複数の態様を変更することを通して、前記フレキシブル帯域幅システムの前記１つまたは複数の態様の前記スケーリングを補償するための前記手段が、
ボイスフレームを識別するための手段と、
前記スケーリング係数に基づいて、前記ボイスフレームを複数のサブブロックにセグメント化するための手段と、
前記複数のサブブロックを複数のチャネル上で同時に送信するための手段とを備える、
ワイヤレス通信システム。
【請求項９】
前記複数のチャネルのカーディナリティが、前記スケーリング係数に等しい、請求項８に記載のワイヤレス通信システム。
【請求項１０】
前記複数のチャネルのカーディナリティが、前記スケーリング係数を超える、請求項８に記載のワイヤレス通信システム。
【請求項１１】
少なくとも１つのコンピュータに、フレキシブル帯域幅システム上でボイスサービスを提供させるためのコンピュータプログラムであって、
前記少なくとも１つのコンピュータに、前記フレキシブル帯域幅システムのスケーリング係数を識別させるためのコードと、
前記少なくとも１つのコンピュータに、前記スケーリング係数に基づいて、前記フレキシブル帯域幅システムの１つまたは複数の態様をスケーリングさせるためのコードと、
前記少なくとも１つのコンピュータに、コード領域内で１つまたは複数の態様を変更させることを通して、前記少なくとも１つのコンピュータに、前記フレキシブル帯域幅システムの前記１つまたは複数の態様の前記スケーリングを補償させるためのコードと
を備え、
ここにおいて、前記少なくとも１つのコンピュータに、前記コード領域内で１つまたは複数の態様を変更させることを通して、前記少なくとも１つのコンピュータに、前記フレキシブル帯域幅システムの前記１つまたは複数の態様の前記スケーリングを補償させるための前記コードが、
前記少なくとも１つのコンピュータに、ＭＡＣ層からボイスフレームを受信させるためのコードと、
前記少なくとも１つのコンピュータに、ＰＨＹ層における１つまたは複数の通常フレーム境界に対して、１つまたは複数のスロット境界を決定させるためのコードと、
前記少なくとも１つのコンピュータに、前記１つまたは複数のスロット時間境界のうちの１つにおいて、前記ボイスフレームを送信させるためのコードとを備え、
ここにおいて、前記少なくとも１つのコンピュータに、前記１つまたは複数のスロット時間境界のうちの１つにおいて、前記ボイスフレームを送信させるための前記コードが、
前記少なくとも１つのコンピュータに、ある時間期間だけ前記ボイスフレームを送信することを遅延させるためのコードをさらに備える、
コンピュータプログラム。
【請求項１２】
前記時間期間が追加のスロット時間境界を備える、請求項１１に記載のコンピュータプログラム。
【請求項１３】
少なくとも１つのコンピュータに、フレキシブル帯域幅システム上でボイスサービスを提供させるためのコンピュータプログラムであって、
前記少なくとも１つのコンピュータに、前記フレキシブル帯域幅システムのスケーリング係数を識別させるためのコードと、
前記少なくとも１つのコンピュータに、前記スケーリング係数に基づいて、前記フレキシブル帯域幅システムの１つまたは複数の態様をスケーリングさせるためのコードと、
前記少なくとも１つのコンピュータに、コード領域内で１つまたは複数の態様を変更させることを通して、前記少なくとも１つのコンピュータに、前記フレキシブル帯域幅システムの前記１つまたは複数の態様の前記スケーリングを補償させるためのコードと
を備え、
ここにおいて、前記少なくとも１つのコンピュータに、前記コード領域内で１つまたは複数の態様を変更させることを通して、前記少なくとも１つのコンピュータに、前記フレキシブル帯域幅システムの前記１つまたは複数の態様の前記スケーリングを補償させるための前記コードが、
前記少なくとも１つのコンピュータに、ボイスフレームを識別させるためのコードと、
前記少なくとも１つのコンピュータに、前記スケーリング係数に基づいて、前記ボイスフレームを複数のサブブロックにセグメント化させるためのコードと、
前記少なくとも１つのコンピュータに、前記複数のサブブロックを複数のチャネル上で同時に送信させるためのコードとを備える、
コンピュータプログラム。
【請求項１４】
前記複数のチャネルのカーディナリティが、前記スケーリング係数に等しい、請求項１３に記載のコンピュータプログラム。
【請求項１５】
前記複数のチャネルのカーディナリティが、前記スケーリング係数を超える、請求項１３に記載のコンピュータプログラム。
【請求項１６】
フレキシブル帯域幅システム上でボイスサービスを提供するために構成されたワイヤレス通信デバイスであって、
前記フレキシブル帯域幅システムのスケーリング係数を識別することと、
前記スケーリング係数に基づいて、前記フレキシブル帯域幅システムの１つまたは複数の態様をスケーリングすることと、
コード領域内で１つまたは複数の態様を変更することを通して、前記フレキシブル帯域幅システムの前記１つまたは複数の態様の前記スケーリングを補償することと
を行うように構成された少なくとも１つのプロセッサと、
前記少なくとも１つのプロセッサに結合された少なくとも１つのメモリとを備え、
ここにおいて、前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
ＭＡＣ層からボイスフレームを受信することと、
ＰＨＹ層における１つまたは複数の通常フレーム境界に対して、１つまたは複数のスロット境界を決定することと、
前記１つまたは複数のスロット時間境界のうちの１つにおいて、前記ボイスフレームを送信することとを行うための構成を備え、
ここにおいて、前記１つまたは複数のスロット時間境界のうちの１つにおいて、前記ボイスフレームを送信することを行うように構成された前記少なくとも１つのプロセッサが、
ある時間期間だけ前記ボイスフレームを送信することを遅延させることを行うようにさらに構成される、
ワイヤレス通信デバイス。
【請求項１７】
前記時間期間が追加のスロット時間境界を備える、請求項１６に記載のワイヤレス通信デバイス。
【請求項１８】
フレキシブル帯域幅システム上でボイスサービスを提供するために構成されたワイヤレス通信デバイスであって、
前記フレキシブル帯域幅システムのスケーリング係数を識別することと、
前記スケーリング係数に基づいて、前記フレキシブル帯域幅システムの１つまたは複数の態様をスケーリングすることと、
コード領域内で１つまたは複数の態様を変更することを通して、前記フレキシブル帯域幅システムの前記１つまたは複数の態様の前記スケーリングを補償することと
を行うように構成された少なくとも１つのプロセッサと、
前記少なくとも１つのプロセッサに結合された少なくとも１つのメモリとを備え、
ここにおいて、前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
ボイスフレームを識別することと、
前記スケーリング係数に基づいて、前記ボイスフレームを複数のサブブロックにセグメント化することと、
前記複数のサブブロックを複数のチャネル上で同時に送信することとを行うための構成を備える、
ワイヤレス通信デバイス。
【請求項１９】
前記複数のチャネルのカーディナリティが、前記スケーリング係数に等しい、請求項１８に記載のワイヤレス通信デバイス。
【請求項２０】
前記複数のチャネルのカーディナリティが、前記スケーリング係数を超える、請求項１８に記載のワイヤレス通信デバイス。
【発明の詳細な説明】
【技術分野】
【０００１】
相互関連出願
[0001]  本特許出願は、本出願の譲受人に譲渡され、すべての目的のために参照により本明細書に明確に組み込まれる、２０１１年１１月７日に出願された「ＦＲＡＣＴＩＯＮＡＬ  ＳＹＳＴＥＭＳ  ＩＮ  ＷＩＲＥＬＥＳＳ  ＣＯＭＭＵＮＩＣＡＴＩＯＮＳ」と題する仮出願第６１／５５６，７７７号の優先権を主張する。本特許出願はまた、本出願の譲受人に譲渡され、すべての目的のために参照により本明細書に明確に組み込まれる、２０１１年１２月９日に出願された「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，  ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」と題する仮出願第６１／５６８，７４２号の優先権を主張する。本特許出願はまた、本出願の譲受人に譲渡され、すべての目的のために参照により本明細書に明確に組み込まれる、２０１２年４月６日に出願された「ＶＯＩＣＥ  ＳＥＲＶＩＣＥ  ＳＯＬＵＴＩＯＮＳ  ＦＯＲ  ＦＬＥＸＩＢＬＥ  ＢＡＮＤＷＩＤＴＨ  ＳＹＳＴＥＭＳ」と題する仮出願第６１／６２１，１７７号の優先権を主張する。
【背景技術】
【０００２】
[0002]  ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
[0003]  サービスプロバイダは、典型的には、いくつかの地理的領域の専用の周波数スペクトルのブロックを割り振られる。これらの周波数のブロックは、一般に、使用されている多元接続技術にかかわらず、規制者によって割り当てられる。たいていの場合、これらのブロックは、チャネル帯域幅の整数倍ではなく、したがって、スペクトルの利用されない部分があり得る。ワイヤレスデバイスの使用が増加してくるにつれて、このスペクトルの需要および価値も同様に、一般に増加している。それにもかかわらず、場合によっては、ワイヤレス通信システムは、割り振られたスペクトルの部分が標準または通常波形に適合するために十分大きくないので、それらの部分を利用しないことがある。ＬＴＥ規格の開発者は、たとえば、この問題を認識しており、６つの異なるシステム帯域幅、すなわち、１．４ＭＨｚと、３ＭＨｚと、５ＭＨｚと、１０ＭＨｚと、１５ＭＨｚと、２０ＭＨｚとをサポートすることを決定した。このことは、この問題の部分的な解決策を提供し得る。フレキシブル帯域幅システムは、これらの問題に対する別の解決策を提供し得る。ただし、いくつかのタイプのボイスサービスおよび他の対話型アプリケーションは、遅延敏感であることがあり、フレキシブル帯域幅システムを利用するとき、ロストデータの再送信なしに、いくつかのデータレートおよび／または一定のサービス品質を提供することが望ましいことがある。
【発明の概要】
【０００４】
[0004]  ボイスサービスなどのサービスとともに、フレキシブル帯域幅システムを利用するための方法、システム、およびデバイスが提供される。たとえば、ボイスサービスなどのサービスを提供中であり得るフレキシブル帯域幅システムの１つまたは複数の態様のスケーリングは、コード領域内で１つまたは複数の態様を変更することを通して補償され得る。ツールおよび技法は、（いくつかの実施形態では、レートマッチングチューニング（rate matching tuning）を用いて）拡散率（spreading factor）をスケーリングすること、マルチコード送信、コードレート増加、ＡＭＲコーデックレート調整、および／または高次変調を含み得る。受信方式のためのサブフレーム復号手法もまた、利用され得る。これらのツールおよび技法は、モバイルデバイスおよび／または基地局においてフレキシブルに実施され得る。いくつかの実施形態はまた、送信および／または受信プロセスによってもたらされるレイテンシを最小限に抑え得る。
【０００５】
[0005]  フレキシブル帯域幅システムは、フレキシブル波形を利用して、通常波形に適合するために十分大きくないことがあるスペクトルの部分を利用し得る、ワイヤレス通信システムを伴い得る。フレキシブル帯域幅システムは、通常のキャリア帯域幅システムに対して、フレキシブル帯域幅システムの時間またはチップレートを膨張させる（dilating）か、またはスケールダウンすることを通して、通常のキャリア帯域幅システムに対して生成され得る。いくつかの実施形態は、フレキシブルキャリア帯域幅システムの時間またはチップレートを拡大（expanding）またはスケールアップすることを通して、フレキシブル波形の帯域幅を増大させる。
【０００６】
[0006]  いくつかの実施形態は、フレキシブル帯域幅システム上で、ボイスサービスなどのサービスを提供するための方法を含む。この方法は、フレキシブル帯域幅システムのスケーリング係数（scaling factor）を識別することと、スケーリング係数に基づいて、フレキシブル帯域幅システムの１つまたは複数の態様をスケーリングすることと、および／あるいは、コード領域内で１つまたは複数の態様を変更することを通して、フレキシブル帯域幅システムの１つまたは複数の態様のスケーリングを補償することとを含み得る。
【０００７】
[0007]  コード領域内で１つまたは複数の態様を変更することを通して、フレキシブル帯域幅システムの１つまたは複数の態様のスケーリングを補償することは、拡散率を識別することと、および／または、調整された拡散率を生成するためにスケーリング係数を利用して拡散率を調整することとを含み得る。いくつかの実施形態は、少なくともパンクチャリングプロセスまたは反復（repetition）プロセスを通して、レートチューニングマッチング（rate tuning matching）を適用することを含む。いくつかの実施形態は、少なくとも調整された拡散率またはより遅い電力制御を補償するために、送信電力を増大させることを含む。
【０００８】
[0008]  コード領域内で１つまたは複数の態様を変更することを通して、フレキシブル帯域幅システムの１つまたは複数の態様のスケーリングを補償することは、ＭＡＣ層からボイスフレームを受信することと、ＰＨＹ層における１つまたは複数の通常フレーム境界に対して、１つまたは複数のスロット境界を決定することと、および／あるいは、１つまたは複数のスロット時間境界のうちの１つにおいて、ボイスフレームを送信することとを含み得る。１つまたは複数のスロット時間境界のうちの１つにおいて、ボイスフレームを送信することは、ある時間期間だけボイスフレームを送信することを遅延させることを含み得、この時間期間は、追加のスロット時間境界を含み得る。
【０００９】
[0009]  コード領域内で１つまたは複数の態様を変更することを通して、フレキシブル帯域幅システムの１つまたは複数の態様のスケーリングを補償することは、ボイスフレームを識別することと、スケーリング係数に基づいて、ボイスフレームを複数のサブブロックにセグメント化することと、および／または、複数のサブブロックを複数のチャネル上で同時に送信することとを含み得る。いくつかの実施形態では、複数のチャネルのカーディナリティは、スケーリング係数に等しい。いくつかの実施形態では、複数のチャネルのカーディナリティは、スケーリング係数を超える。
【００１０】
[0010]  コード領域内で１つまたは複数の態様を変更することを通して、フレキシブル帯域幅システムの１つまたは複数の態様のスケーリングを補償することは、フレキシブル帯域幅システムの１つまたは複数の態様のスケーリングによって影響を受けるデータレートを維持するために、コードレートを調整することを含み得る。コード領域内で１つまたは複数の態様を変更することを通して、フレキシブル帯域幅システムの１つまたは複数の態様のスケーリングを補償することは、フレキシブル帯域幅システムの１つまたは複数の態様のスケーリングによって影響を受けるデータレートを維持するために、変調方式を調整することを含み得る。コード領域内で１つまたは複数の態様を変更することを通して、フレキシブル帯域幅システムの１つまたは複数の態様のスケーリングを補償することは、受信されたボイスフレームを少なくとも復調または復号するためにサブフレーム復号方式を利用することを含み得る。コード領域内で１つまたは複数の態様を変更することを通して、フレキシブル帯域幅システムの１つまたは複数の態様のスケーリングを補償することは、スケーリング係数に基づいて、ＡＭＲコーデックレートを調整することを含み得る。
【００１１】
[0011]  いくつかの実施形態は、フレキシブル帯域幅システム上でサービスを提供するために構成されたワイヤレス通信システムを含む。このサービスは、ボイスサービスを含み得る。このシステムは、フレキシブル帯域幅システムのスケーリング係数を識別するための手段と、スケーリング係数に基づいて、フレキシブル帯域幅システムの１つまたは複数の態様をスケーリングするための手段と、および／あるいは、コード領域内で１つまたは複数の態様を変更することを通して、フレキシブル帯域幅システムの１つまたは複数の態様のスケーリングを補償するための手段とを含み得る。
【００１２】
[0012]  コード領域内で１つまたは複数の態様を変更することを通して、フレキシブル帯域幅システムの１つまたは複数の態様のスケーリングを補償するための手段は、拡散率を識別するための手段と、および／または、調整された拡散率を生成するためにスケーリング係数を利用して拡散率を調整するための手段とを含み得る。いくつかの実施形態は、少なくともパンクチャリングプロセスまたは反復プロセスを通して、レートチューニングマッチングを適用するための手段を含む。いくつかの実施形態は、少なくとも調整された拡散率またはより遅い電力制御を補償するために、送信電力を増大させるための手段を含む。
【００１３】
[0013]  コード領域内で１つまたは複数の態様を変更することを通して、フレキシブル帯域幅システムの１つまたは複数の態様のスケーリングを補償するための手段は、ＭＡＣ層からボイスフレームを受信するための手段と、ＰＨＹ層における１つまたは複数の通常フレーム境界に対して、１つまたは複数のスロット境界を決定するための手段と、および／あるいは、１つまたは複数のスロット時間境界のうちの１つにおいて、ボイスフレームを送信するための手段とを含み得る。１つまたは複数のスロット時間境界のうちの１つにおいて、ボイスフレームを送信するための手段は、ある時間期間だけボイスフレームを送信することを遅延させるための手段を含み得、この時間期間は、追加のスロット時間境界を含み得る。
【００１４】
[0014]  コード領域内で１つまたは複数の態様を変更することを通して、フレキシブル帯域幅システムの１つまたは複数の態様のスケーリングを補償するための手段は、ボイスフレームを識別するための手段と、スケーリング係数に基づいて、ボイスフレームを複数のサブブロックにセグメント化するための手段と、および／または、複数のサブブロックを複数のチャネル上で同時に送信するための手段とを含み得る。いくつかの実施形態では、複数のチャネルのカーディナリティは、スケーリング係数に等しい。いくつかの実施形態では、複数のチャネルのカーディナリティは、スケーリング係数を超える。
【００１５】
「0015」  コード領域内で１つまたは複数の態様を変更することを通して、フレキシブル帯域幅システムの１つまたは複数の態様のスケーリングを補償するための手段は、フレキシブル帯域幅システムの１つまたは複数の態様のスケーリングによって影響を受けるデータレートを維持するために、コードレートを調整するための手段を含み得る。コード領域内で１つまたは複数の態様を変更することを通して、フレキシブル帯域幅システムの１つまたは複数の態様のスケーリングを補償するための手段は、フレキシブル帯域幅システムの１つまたは複数の態様のスケーリングによって影響を受けるデータレートを維持するために、変調方式を調整するための手段を含み得る。コード領域内で１つまたは複数の態様を変更することを通して、フレキシブル帯域幅システムの１つまたは複数の態様のスケーリングを補償するための手段は、受信されたボイスフレームを少なくとも復調または復号するためにサブフレーム復号方式を利用するための手段を含み得る。コード領域内で１つまたは複数の態様を変更することを通して、フレキシブル帯域幅システムの１つまたは複数の態様のスケーリングを補償するための手段は、スケーリング係数に基づいて、ＡＭＲコーデックレートを調整するための手段を含み得る。
【００１６】
[0016]  いくつかの実施形態は、非一時的コンピュータ可読媒体を含み得る、フレキシブル帯域幅システム上でサービスを提供するためのコンピュータプログラム製品を含み、非一時的コンピュータ可読媒体は、フレキシブル帯域幅システムのスケーリング係数を識別するためのコードと、スケーリング係数に基づいて、フレキシブル帯域幅システムの１つまたは複数の態様をスケーリングするためのコードと、および／あるいは、コード領域内で１つまたは複数の態様を変更することを通して、フレキシブル帯域幅システムの１つまたは複数の態様のスケーリングを補償するためのコードとを含み得る。このサービスは、ボイスサービスを含み得る。「コード」という用語は、これらの実施形態ではソフトウェアコードを指すことがあるが、他の実施形態は、例としてのみ、拡散コードなど、他のものを意味するために「コード」という用語を利用することがある。
【００１７】
[0017]  コード領域内で１つまたは複数の態様を変更することを通して、フレキシブル帯域幅システムの１つまたは複数の態様のスケーリングを補償するためのコードは、拡散率を識別するためのコードと、および／または、調整された拡散率を生成するためにスケーリング係数を利用して拡散率を調整するためのコードとを含み得る。非一時的コンピュータ可読媒体は、少なくともパンクチャリングプロセスまたは反復プロセスを通して、レートチューニングマッチングを適用するためのコードを含み得る。非一時的コンピュータ可読媒体は、少なくとも調整された拡散率またはより遅い電力制御を補償するために、送信電力を増大させるためのコードを含み得る。
【００１８】
[0018]  コード領域内で１つまたは複数の態様を変更することを通して、フレキシブル帯域幅システムの１つまたは複数の態様のスケーリングを補償するためのコードは、ＭＡＣ層からボイスフレームを受信するためのコードと、ＰＨＹ層における１つまたは複数の通常フレーム境界に対して、１つまたは複数のスロット境界を決定するためのコードと、および／あるいは、１つまたは複数のスロット時間境界のうちの１つにおいて、ボイスフレームを送信するためのコードとを含み得る。１つまたは複数のスロット時間境界のうちの１つにおいて、ボイスフレームを送信するためのコードは、ある時間期間だけボイスフレームを送信することを遅延させるためのコードを含み得、この時間期間は、追加のスロット時間境界を含み得る。
【００１９】
[0019]  コード領域内で１つまたは複数の態様を変更することを通して、フレキシブル帯域幅システムの１つまたは複数の態様のスケーリングを補償するためのコードは、ボイスフレームを識別するためのコードと、スケーリング係数に基づいて、ボイスフレームを複数のサブブロックにセグメント化するためのコードと、および／または、複数のサブブロックを複数のチャネル上で同時に送信するためのコードとを含み得る。いくつかの実施形態では、複数のチャネルのカーディナリティは、スケーリング係数に等しい。いくつかの実施形態では、複数のチャネルのカーディナリティは、スケーリング係数を超える。
【００２０】
[0020]  コード領域内で１つまたは複数の態様を変更することを通して、フレキシブル帯域幅システムの１つまたは複数の態様のスケーリングを補償するためのコードは、フレキシブル帯域幅システムの１つまたは複数の態様のスケーリングによって影響を受けるデータレートを維持するために、コードレートを調整するためのコードを含み得る。コード領域内で１つまたは複数の態様を変更することを通して、フレキシブル帯域幅システムの１つまたは複数の態様のスケーリングを補償するためのコードは、フレキシブル帯域幅システムの１つまたは複数の態様のスケーリングによって影響を受けるデータレートを維持するために、変調方式を調整するためのコードを含み得る。コード領域内で１つまたは複数の態様を変更することを通して、フレキシブル帯域幅システムの１つまたは複数の態様のスケーリングを補償するためのコードは、受信されたボイスフレームを少なくとも復調または復号するためにサブフレーム復号方式を利用するためのコードを含み得る。コード領域内で１つまたは複数の態様を変更することを通して、フレキシブル帯域幅システムの１つまたは複数の態様のスケーリングを補償するためのコードは、スケーリング係数に基づいて、ＡＭＲコーデックレートを調整するためのコードを含み得る。
【００２１】
[0021]  いくつかの実施形態は、フレキシブル帯域幅システム上でサービスを提供するために構成されたワイヤレス通信デバイスを含む。このサービスは、ボイスサービスを含み得る。このデバイスは、少なくとも１つのプロセッサを含み得、少なくとも１つのプロセッサは、フレキシブル帯域幅システムのスケーリング係数を識別することと、スケーリング係数に基づいて、フレキシブル帯域幅システムの１つまたは複数の態様をスケーリングすることと、および／あるいは、コード領域内で１つまたは複数の態様を変更することを通して、フレキシブル帯域幅システムの１つまたは複数の態様のスケーリングを補償することとを行うように構成される。このデバイスは、少なくとも１つのプロセッサに結合された少なくとも１つのメモリを含み得る。
【００２２】
[0022]  コード領域内で１つまたは複数の態様を変更することを通して、フレキシブル帯域幅システムの１つまたは複数の態様のスケーリングを補償することを行うように構成された少なくとも１つのプロセッサは、拡散率を識別することと、および／または、調整された拡散率を生成するためにスケーリング係数を利用して拡散率を調整するための構成を含み得る。少なくとも１つのプロセッサは、少なくともパンクチャリングプロセスまたは反復プロセスを通して、レートチューニングマッチングを適用することを行うように構成され得る。少なくとも１つのプロセッサは、少なくとも調整された拡散率またはより遅い電力制御を補償するために、送信電力を増大させることを行うように構成され得る。
【００２３】
[0023]  コード領域内で１つまたは複数の態様を変更することを通して、フレキシブル帯域幅システムの１つまたは複数の態様のスケーリングを補償することを行うように構成された少なくとも１つのプロセッサは、ＭＡＣ層からボイスフレームを受信することと、ＰＨＹ層における１つまたは複数の通常フレーム境界に対して、１つまたは複数のスロット境界を決定することと、および／あるいは、１つまたは複数のスロット時間境界のうちの１つにおいて、ボイスフレームを送信することとを行うための構成を含む。１つまたは複数のスロット時間境界のうちの１つにおいて、ボイスフレームを送信することを行うように構成された少なくとも１つのプロセッサは、ある時間期間だけボイスフレームを送信することを遅延させることを行うように構成され得、この時間期間は、追加のスロット時間境界を含み得る。
【００２４】
[0024]  コード領域内で１つまたは複数の態様を変更することを通して、フレキシブル帯域幅システムの１つまたは複数の態様のスケーリングを補償することを行うように構成された少なくとも１つのプロセッサは、ボイスフレームを識別することと、スケーリング係数に基づいて、ボイスフレームを複数のサブブロックにセグメント化することと、および／または、複数のサブブロックを複数のチャネル上で同時に送信することとを行うための構成を含み得る。いくつかの実施形態では、複数のチャネルのカーディナリティは、スケーリング係数に等しい。いくつかの実施形態では、複数のチャネルのカーディナリティは、スケーリング係数を超える。
【００２５】
[0025]  コード領域内で１つまたは複数の態様を変更することを通して、フレキシブル帯域幅システムの１つまたは複数の態様のスケーリングを補償することを行うように構成された少なくとも１つのプロセッサは、フレキシブル帯域幅システムの１つまたは複数の態様のスケーリングによって影響を受けるデータレートを維持するために、コードレートを調整することを行うための構成を含み得る。コード領域内で１つまたは複数の態様を変更することを通して、フレキシブル帯域幅システムの１つまたは複数の態様のスケーリングを補償することを行うように構成された少なくとも１つのプロセッサは、フレキシブル帯域幅システムの１つまたは複数の態様のスケーリングによって影響を受けるデータレートを維持するために、変調方式を調整することを行うための構成を含み得る。コード領域内で１つまたは複数の態様を変更することを通して、フレキシブル帯域幅システムの１つまたは複数の態様のスケーリングを補償することを行うように構成された少なくとも１つのプロセッサは、受信されたボイスフレームを少なくとも復調または復号することを行うためにサブフレーム復号方式を利用するための構成を含み得る。コード領域内で１つまたは複数の態様を変更することを通して、フレキシブル帯域幅システムの１つまたは複数の態様のスケーリングを補償することを行うように構成された少なくとも１つのプロセッサは、スケーリング係数に基づいて、ＡＭＲコーデックレートを調整することを行うための構成を含み得る。
【００２６】
[0026]  上記では、以下の発明を実施するための形態がより良く理解され得るように、本開示による例の特徴および技術的利点についてやや広く概説した。以下で、追加の特徴および利点について説明する。開示する概念および具体例は、本開示の同じ目的を実行するための他の構造を変更または設計するための基礎として容易に利用され得る。そのような等価な構成は、添付の特許請求の範囲の趣旨および範囲から逸脱しない。本明細書で開示する概念を特徴づけると考えられる特徴は、それらの編成と動作方法の両方に関して、関連する利点とともに、添付の図に関連して以下の説明を検討するとより良く理解されよう。図の各々は、例示および説明のみの目的で提供され、特許請求の範囲を定めるものではない。
【００２７】
[0027]  以下の図面を参照すれば、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００２８】
【図１】[0028]  様々な実施形態によるワイヤレス通信システムのブロック図。
【図２Ａ】[0029]  様々な実施形態による、フレキシブル波形が、通常波形に適合するために十分広くないスペクトルの一部分に適合する、ワイヤレス通信システムの一例を示す図。
【図２Ｂ】[0030]  様々な実施形態による、フレキシブル波形が、帯域のエッジの近くでスペクトルの一部分に適合する、ワイヤレス通信システムの一例を示す図。
【図３】[0031]  様々な実施形態によるワイヤレス通信システムのブロック図。
【図４】[0032]  様々な実施形態による、フレキシブル帯域幅システム上でボイスサービスを提供するように構成されたデバイスのブロック図。
【図５Ａ】[0033]  様々な実施形態による、調整された拡散率を含む表を示す図。
【図５Ｂ】[0033]  様々な実施形態による、調整された拡散率を含む表を示す図。
【図５Ｃ】[0033]  様々な実施形態による、調整された拡散率を含む表を示す図。
【図６Ａ】[0034]  様々な実施形態による、レイテンシ管理に関連付けられたタイミング図。
【図６Ｂ】[0034]  様々な実施形態による、レイテンシ管理に関連付けられたタイミング図。
【図６Ｃ】[0035]  様々な実施形態による、異なる手法のレイテンシを比較する表を示す図。
【図７Ａ】[0036]  様々な実施形態による、マルチコード送信を利用するタイミング図の一例の図。
【図７Ｂ】[0037]  様々な実施形態による、マルチコード送信を利用するタイミング図の一例の図。
【図８】[0038]  様々な実施形態によるサブフレーム復号の一例を示す図。
【図９】[0039]  様々な実施形態による、コードレートを調整する例を含む表を示す図。
【図１０】[0040]  様々な実施形態による、より高い変調方式を使用するタイミング図。
【図１１】[0041]  様々な実施形態による、フレキシブル帯域幅システムにおける変調の影響を示す表を示す図。
【図１２】[0042]  様々な実施形態によるワイヤレス通信システムのブロック図。
【図１３】[0043]  様々な実施形態によるモバイルデバイスのブロック図。
【図１４】[0044]  様々な実施形態による、基地局とモバイルデバイスとを含むワイヤレス通信システムのブロック図。
【図１５Ａ】[0045]  様々な実施形態による、フレキシブル帯域幅システム上でボイスサービスを提供するための方法のフロー図。
【図１５Ｂ】[0046]  様々な実施形態による、フレキシブル帯域幅システム上でボイスサービスを提供するための方法のフロー図。
【図１５Ｃ】[0047]  様々な実施形態による、フレキシブル帯域幅システム上でボイスサービスを提供するための方法のフロー図。
【図１５Ｄ】[0048]  様々な実施形態による、フレキシブル帯域幅システム上でボイスサービスを提供するための方法のフロー図。
【図１５Ｅ】[0049]  様々な実施形態による、フレキシブル帯域幅システム上でボイスサービスを提供するための方法のフロー図。
【図１５Ｆ】[0050]  様々な実施形態による、フレキシブル帯域幅システム上でボイスサービスを提供するための方法のフロー図。
【図１５Ｇ】[0051]  様々な実施形態による、フレキシブル帯域幅システム上でボイスサービスを提供するための方法のフロー図。
【図１５Ｈ】[0052]  様々な実施形態による、フレキシブル帯域幅システム上でボイスサービスを提供するための方法のフロー図。
【詳細な説明】
【００２９】
[0053]  フレキシブル帯域幅システムを利用するとき、ボイスサービスなどのサービスのための方法、システム、およびデバイスが提供される。たとえば、ボイスサービスなどのサービスを提供中であり得るフレキシブル帯域幅システムの１つまたは複数の態様のスケーリングは、コード領域内で１つまたは複数の態様を変更することを通して補償され得る。特定の技法は、（いくつかの実施形態では、レートマッチングチューニングを用いて）拡散率をスケーリングすること、マルチコード送信、コードレート増加、ＡＭＲコーデックレート調整、および／または高次変調を含み得る。受信方式のためのサブフレーム復号手法もまた、利用され得る。これらのツールおよび技法は、モバイルデバイスおよび／または基地局側でフレキシブルに実施され得る。いくつかの実施形態はまた、送信および／または受信プロセスによってもたらされるレイテンシを低減し得る。
【００３０】
[0054]  フレキシブル帯域幅システムは、フレキシブル波形を利用して、通常波形に適合するために十分大きくないことがあるスペクトルの部分を利用し得る、ワイヤレス通信システムを伴い得る。フレキシブル帯域幅システムは、通常の帯域幅システムに対して、フレキシブル帯域幅システムの時間またはチップレートを膨張させるか、またはスケールダウンすることを通して、通常のキャリア帯域幅システムに対して生成され得る。いくつかの実施形態は、フレキシブル帯域幅システムの時間またはチップレートを拡大またはスケールアップすることを通して、フレキシブル波形の帯域幅を増大させる。
【００３１】
[0055]  本明細書で説明する技法は、ＣＤＭＡ、ＴＤＭＡ、ＦＤＭＡ、ＯＦＤＭＡ、ＳＣ−ＦＤＭＡ、ピアツーピア、および他のシステムなど、様々なワイヤレス通信システムのために使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００、ＩＳ−９５およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））およびＣＤＭＡの他の変形態を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のシステムおよび無線技術、ならびに他のシステムおよび無線技術に使用され得る。
【００３２】
[0056]  したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜に様々な手順または構成要素を省略、置換、または追加し得る。たとえば、説明する方法は、説明する順序とは異なる順序で実行され得、様々なステップが追加、省略、または組み合わせられ得る。また、いくつかの実施形態に関して説明する特徴は、他の実施形態において組み合わせられ得る。
【００３３】
[0057]  最初に図１を参照すると、ブロック図は、様々な実施形態によるワイヤレス通信システム１００の一例を示す。システム１００は、基地局１０５と、モバイルデバイス１１５と、基地局コントローラ１２０と、コアネットワーク１３０とを含む（コントローラ１２０は、いくつかの実施形態では、コアネットワーク１３０に組み込まれ得、いくつかの実施形態では、コントローラ１２０は基地局１０５に組み込まれ得る）。システム１００は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送られ得、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００３４】
[0058]  モバイルデバイス１１５は、移動局、モバイルデバイス、アクセス端末、加入者ユニットまたはユーザ機器のうちの任意のタイプであってよい。モバイルデバイス１１５は、セルラー電話とワイヤレス通信デバイスとを含み得るが、携帯情報端末（ＰＤＡ）、スマートフォン、他のハンドヘルドデバイス、ネットブック、ノートブックコンピュータなどをも含み得る。したがって、モバイルデバイスという用語は、任意のタイプのワイヤレスまたはモバイルの通信デバイスを含むために、特許請求の範囲を含めて以下で広く解釈されるべきである。
【００３５】
[0059]  基地局１０５は、基地局アンテナを介してモバイルデバイス１１５とワイヤレス通信し得る。基地局１０５は、複数のキャリアを介してコントローラ１２０の制御下でモバイルデバイス１１５と通信するように構成され得る。基地局１０５のサイトの各々は、それぞれの地理的エリアに通信カバレージを与えることができる。いくつかの実施形態では、基地局１０５は、ノードＢ、ｅノードＢ、ホームノードＢ、および／またはホームｅノードＢと呼ばれ得る。ここでは、各基地局１０５のためのカバレージエリアは、１１０−ａ、１１０−ｂ、または１１０−ｃとして識別される。基地局のためのカバレージエリアは、セクタ（図示しないが、カバレージエリアの一部のみを構成する）に分割され得る。システム１００は、異なるタイプの基地局１０５（たとえば、マクロ基地局、マイクロ基地局、フェムト基地局、および／またはピコ基地局）を含み得る。
【００３６】
[0060]  モバイルデバイス１１５、基地局１０５、コアネットワーク１３０、および／またはコントローラ１２０など、システム１００の様々な態様は、様々な実施形態によるフレキシブル帯域幅および波形を利用するように構成され得る。システム１００は、たとえば、モバイルデバイス１１５と基地局１０５との間の送信１２５を示す。送信１２５は、モバイルデバイス１１５から基地局１０５への、アップリンクおよび／もしくは逆方向リンク送信、ならびに／または、基地局１０５からモバイルデバイス１１５への、ダウンリンクおよび／もしくは順方向リンク送信を含み得る。送信１２５は、フレキシブルおよび／または通常波形を含み得る。通常波形はまた、レガシーおよび／または通常波形とも呼ばれ得る。
【００３７】
[0061]  モバイルデバイス１１５、基地局１０５、コアネットワーク１３０、および／またはコントローラ１２０など、システム１００の様々な態様は、様々な実施形態によるフレキシブル帯域幅および波形を利用するように構成され得る。たとえば、システム１００の様々な態様は、通常波形に適合するために十分大きくないことがあるスペクトルの部分を利用し得る。モバイルデバイス１１５、基地局１０５、コアネットワーク１３０、および／またはコントローラ１２０などのデバイスは、フレキシブル帯域幅および／または波形を生成および／または利用するために、チップレートおよび／またはスケーリング係数を適応させるように構成され得る。システム１００のいくつかの態様は、（他のモバイルデバイス１１５および／または基地局１０５を使用して実装され得る）通常サブシステムの時間に対して、（いくつかのモバイルデバイス１１５および／または基地局１０５などの）フレキシブルサブシステムの時間を膨張させるか、またはスケールダウンすることを通して、通常サブシステムに対して生成され得る、フレキシブルサブシステムを形成し得る。
【００３８】
[0062]  いくつかの実施形態では、モバイルデバイス１１５、基地局１０５、コアネットワーク１３０、および／またはコントローラ１２０など、システム１００の様々な態様は、フレキシブル帯域幅システム上でボイスサービスを提供するために構成され得る。フレキシブル帯域幅システム上で、ボイスサービスなどのサービスを提供することにおいて、モバイルデバイス１１５および／または基地局１０５の一部は、フレキシブル帯域幅システムの１つまたは複数の態様のスケーリングを補償する必要があり得る。このことは、コード領域内で１つまたは複数の態様を変更することを通して達成され得る。たとえば、モバイルデバイス１１５および／または基地局１０５は、スケーリングを補償するために、調整された拡散率を生成するために、スケーリング係数を利用して、拡散率を識別および／または調整し得る。モバイルデバイス１１５および／または基地局１０５は、以下でより詳細に説明するように、マルチコード送信の使用、レイテンシ管理、サブフレーム復号、調整されたコードレート、および／または調整された変調方式を含む、他の技法を利用して、フレキシブル帯域幅スケーリングを補償し得る。
【００３９】
[0063]  いくつかの実施形態は、フレキシブル波形および／または通常波形を生成し得る、モバイルデバイスおよび／または基地局を含み得る。フレキシブル波形は、通常波形よりも少ない帯域幅を占有し得る。たとえば、帯域エッジにおいて、通常波形を配置するために十分な利用可能なスペクトルがないことがある。いくつかの実施形態におけるフレキシブル波形では、時間が膨張されるにつれて、波形によって占有される周波数が下がり、それによって、フレキシブル波形を、通常波形に適合するために十分広くないことがあるスペクトルに適合させることを可能にする。フレキシブル波形はまた、いくつかの実施形態では、スケーリング係数を使用することを通して生成され得る。他の実施形態は、レートまたはチップレートを変更する（たとえば、拡散率が変化し得る）ことを通して、スペクトルの一部分に適合するように、フレキシブル波形を生成し得る。いくつかの実施形態は、チップレートを変化させるか、またはスケーリング係数を利用するために、処理の周波数を変化させ得る。処理の周波数を変化させることは、補間レート、割込みレート、および／またはデシメーションレートを変化させることを含み得る。いくつかの実施形態では、デシメーションによって、ならびに／または、ＡＤＣ、ＤＡＣ、および／もしくはオフラインクロックの周波数を変化させることによって、フィルタ処理を通して、スケーリング係数が利用され、またはチップレートが変化させられ得る。分周器が、少なくとも１クロックの周波数を変化させるために使用され得る。
【００４０】
[0064]  いくつかの実施形態では、フレキシブルシステムまたは波形は、フラクショナルシステムまたは波形であり得る。フラクショナルシステムおよび／または波形は、たとえば、帯域幅を変化させてもさせなくてもよい。フラクショナルシステムまたは波形は、通常システムまたは波形（たとえば、Ｎ＝１システム）よりも多い可能性を提供し得るので、フレキシブルであり得る。通常システムまたは波形は、標準および／またはレガシーシステムまたは波形を指すことがある。
【００４１】
[0065]  図２Ａは、様々な実施形態による、基地局１０５−ａとモバイルデバイス１１５−ａとをもつワイヤレス通信システム２００−ａの一例を示し、フレキシブル波形２１０−ａは、通常波形２２０−ａに適合するために十分広くないスペクトルの一部分に適合する。システム２００−ａは、図１のシステム１００の一例であり得る。いくつかの実施形態では、フレキシブル波形２１０−ａは、基地局１０５−ａおよび／またはモバイルデバイス１１５−ａのいずれかが送信し得る通常波形２２０−ａと重複し得る。場合によっては、通常波形２２０−ａは、フレキシブル波形２１０−ａに完全に重複し得る。いくつかの実施形態はまた、複数のフレキシブル波形２１０を利用し得る。いくつかの実施形態では、別の基地局および／またはモバイルデバイス（図示せず）は、通常波形２２０−ａおよび／またはフレキシブル波形２１０−ａを送信し得る。
【００４２】
[0066]  いくつかの実施形態では、モバイルデバイス１１５−ａおよび／または基地局１０５−ａは、フレキシブル帯域幅システム上でボイスサービスをサポートするように構成され得る。モバイルデバイス１１５−ａおよび／または基地局１０５−ａは、スケーリングされたフレキシブル波形２１０−ａのスケーリングなど、フレキシブル帯域幅システムの１つまたは複数の態様のスケーリングを補償するように構成され得る。この補償は、モバイルデバイス１１５−ａおよび／または基地局１０５−ａにおいて、コード領域内で１つまたは複数の態様を変更することを通して達成され得る。たとえば、モバイルデバイス１１５−ａおよび／または基地局１０５−ｂは、スケーリングを補償するために、調整された拡散率を生成するために、スケーリング係数を利用して、拡散率を識別および／または調整し得る。モバイルデバイス１１５−ａおよび／または基地局１０５−ａは、以下でより詳細に説明するように、マルチコード送信の使用、レイテンシ管理、サブフレーム復号、調整されたコードレート、および／または調整された変調方式を含む、他の技法を利用して、スケーリングされたフレキシブル波形２１０のフレキシブル帯域幅スケーリングを補償し得る。図２Ｂは、基地局１０５−ｂとモバイルデバイス１１５−ｂとをもつ、ワイヤレス通信システム２００−ｂの一例を示し、フレキシブル波形２１０−ｂは、通常波形２２０−ｂが適合しないことがある、保護帯域であり得る、帯域のエッジの近くのスペクトルの一部分に適合する。システム２００−ｂは、図１のシステム１００の一例であり得る。スケーリングされたフレキシブル波形２１０−ｂのスケーリングを補償するための同様の技法は、上記で説明したように適用可能であり得る。
【００４３】
[0067]  図３は、様々な実施形態による、基地局１０５−ｃとモバイルデバイス１１５−ｃおよび１１５−ｄとをもつ、ワイヤレス通信システム３００を示す。いくつかの実施形態では、基地局１０５−ｃおよび／またはモバイルデバイス１１５−ｃ／１１５−ｄは、フレキシブル帯域幅システム内で、ボイスサービスなどのサービスを提供するために構成され得る。たとえば、モバイルデバイス１１５−ｃ／１１５−ｄと基地局１０５−ｃとの間の送信３０５−ａおよび／または３０５−ｂは、フレキシブル波形を利用してスケーリングされている送信を伴い得る。基地局１０５−ｃおよび／またはモバイルデバイス１１５−ｃ／１１５−ｄは、１つまたは複数のコード領域内で１つまたは複数の態様を変更することを通して、スケーリングを補償し得る。たとえば、基地局１０５−ｃおよび／またはモバイルデバイス１１５−ｃ／１１５−ｄは、拡散率を識別し得る。拡散率は、基地局１０５−ｃおよび／またはモバイルデバイス１１５−ｃ／１１５−ｄにおいて、調整された拡散率を生成するために、スケーリング係数を利用して調整され得る。いくつかの実施形態では、レートチューニングマッチングが、拡散率調整プロセスの一部として、少なくともパンクチャリングプロセスまたは反復プロセスを通して適用される。
【００４４】
[0068]  いくつかの実施形態では、基地局１０５−ｃおよび／またはモバイルデバイス１１５−ｃ／１１５−ｄは、１つまたは複数のレイテンシ管理技法を通して、送信３０５−ａおよび／または３０５−ｂなど、フレキシブル帯域幅システムの１つまたは複数の態様のスケーリングを補償し得る。たとえば、基地局１０５−ｃおよび／またはモバイルデバイス１１５−ｃ／１１５−ｄ内で、ボイスフレームが、ＰＨＹ層においてＭＡＣ層から受信され得る。１つまたは複数のスロット境界が、ＰＨＹ層における１つまたは複数の通常フレーム境界に対して、基地局１０５−ｃおよび／またはモバイルデバイス１１５−ｃ／１１５−ｄにおいて決定され得る。ボイスフレームは、基地局１０５−ｃおよび／またはモバイルデバイス１１５−ｃ／１１５−ｄから、１つまたは複数のスロット時間境界のうちの１つにおいて、送信３０５−ａおよび／または３０５−ｂとして、送信され得る。いくつかの実施形態では、１つまたは複数のスロット時間境界のうちの１つにおいて、ボイスフレームを送信することは、追加のスロット時間境界だけボイスフレームを送信することを遅延させることをさらに含む。
【００４５】
[0069]  基地局１０５−ｃおよび／またはモバイルデバイス１１５−ｃ／１１５−ｄは、マルチコード送信方式の使用を通して、送信３０５−ａおよび／または３０５−ｂなど、フレキシブル帯域幅システムの１つまたは複数の態様のスケーリングを補償し得る。たとえば、基地局１０５−ｃおよび／またはモバイルデバイス１１５−ｃ／１１５−ｄは、ボイスフレームを識別し得る。ボイスフレームは、基地局１０５−ｃおよび／またはモバイルデバイス１１５−ｃ／１１５−ｄにおいて、スケーリング係数に基づいて複数のサブブロックにセグメント化され得る。複数のサブブロックは、送信３０５−ａおよび／または３０５−ｂの一部として、基地局１０５−ｃおよび／またはモバイルデバイス１１５−ｃ／１１５−ｄから、複数のチャネル上で同時に送信され得る。チャネルの数またはカーディナリティは、スケーリング係数に等しくなり得る。複数のチャネルの数またはカーディナリティは、スケーリング係数を超え得る。
【００４６】
[0070]  基地局１０５−ｃおよび／またはモバイルデバイス１１５−ｃ／１１５−ｄは、フレキシブル帯域幅システムの１つまたは複数の態様のスケーリングによって影響を受けるデータレートを維持するために、コードレートを調整すること、および／あるいは、フレキシブル帯域幅システムの１つまたは複数の態様のスケーリングによって影響を受けるデータレートを維持するために、変調方式を調整することを通して、送信３０５−ａおよび／または３０５−ｂなど、フレキシブル帯域幅システムの１つまたは複数の態様のスケーリングを補償し得る。いくつかの実施形態は、基地局１０５−ｃおよび／またはモバイルデバイス１１５−ｃ／１１５−ｄにおいて、送信３０５−ａおよび／または３０５−ｂなど、フレキシブル帯域幅システムの１つまたは複数の態様のスケーリングを補償するために、受信されたボイスフレームを少なくとも復調または復号するために、サブフレーム復号方式を利用し得る。
【００４７】
[0071]  モバイルデバイス１１５−ｃ／１１５−ｄと基地局１０５−ｃとの間の送信３０５−ａおよび／または３０５−ｂは、通常波形よりも少ない（または、より多い）帯域幅を占有するように生成され得るフレキシブル波形を利用し得る。たとえば、帯域エッジにおいて、通常波形を配置するために十分な利用可能なスペクトルがないことがある。フレキシブル波形では、時間が膨張されるにつれて、波形によって占有される周波数が下がり、それによって、フレキシブル波形を、通常波形に適合するために十分広くないことがあるスペクトルに適合させることを可能にする。いくつかの実施形態では、フレキシブル波形は、通常波形に対して、スケーリング係数Ｎを利用してスケーリングされ得る。スケーリング係数Ｎは、限定はしないが、１、２、４などの整数値を含む、多数の様々な値を取り得る。ただし、Ｎが整数である必要はない。
【００４８】
[0072]  いくつかの実施形態は、追加の用語を利用し得る。新しい単位Ｄが利用され得る。単位Ｄは、膨張されたものである。この単位は、無名数（unitless）であり、Ｎの値を有する。「膨張された時間（dilated time）」に関して、フレキシブルシステムにおける時間について語ることができる。たとえば、通常時間におけるたとえば１０ｍｓのスロットは、フレキシブル時間における１０Ｄｍｓとして表され得る（注意：通常時間においても、通常時間においてＮ＝１であるので、このことが当てはまる。Ｄは１の値を有するので、１０Ｄｍｓ＝１０ｍｓである）。時間スケーリングでは、大部分の「秒」を「膨張された秒（dilated-second）」で置き換えることができる。ヘルツ単位の周波数は、１／ｓであることに留意されたい。
【００４９】
[0073]  上記で説明したように、フレキシブル波形は、通常波形よりも少ない帯域幅を占有する波形であり得る。したがって、フレキシブル帯域幅システムでは、同数のシンボルおよびビットが、通常帯域幅システムと比較して、より長い持続時間にわたって送信され得る。このことは、時間伸張を生じ得、それによって、スロット持続時間、フレーム持続時間などが、スケーリング係数Ｎにより増加し得る。スケーリング係数Ｎは、通常帯域幅のフレキシブル帯域幅（ＢＷ）に対する比を表し得る。したがって、フレキシブル帯域幅システムにおけるデータレートは、（通常レート×１／Ｎ）に等しくなり得、遅延は（通常遅延×Ｎ）に等しくなり得る。一般に、フレキシブルシステムチャネルＢＷ＝通常システムのチャネルＢＷ／Ｎである。遅延×ＢＷは、不変のままであり得る。さらに、いくつかの実施形態では、フレキシブル波形は、通常波形よりも多い帯域幅を占有する波形であり得る。
【００５０】
[0074]  本明細書全体にわたって、通常システム、サブシステム、および／または波形という用語は、１に等しい（たとえば、Ｎ＝１）または通常もしくは標準チップレートであり得るスケーリング係数を利用し得る実施形態を伴う、システム、サブシステム、および／または波形を指すために利用され得る。これらの通常システム、サブシステム、および／または波形はまた、標準および／またはレガシーシステム、サブシステム、および／または波形と呼ばれることもある。さらに、フレキシブルシステム、サブシステム、および／または波形は、１に等しくない（たとえば、Ｎ＝２、４、８、１／２、１／４など）ものであり得るスケーリング係数を利用し得る実施形態を伴う、システム、サブシステム、および／または波形を指すために利用され得る。Ｎ＞１では、またはチップレートが下げられる場合、波形の帯域幅は減少し得る。いくつかの実施形態は、帯域幅を増加させるスケーリング係数またはチップレートを利用し得る。たとえば、Ｎ＜１の場合、またはチップレートが上げられる場合、波形は、通常波形よりも大きい帯域幅をカバーするように拡大され得る。フレキシブルシステム、サブシステム、および／または波形はまた、場合によっては、フラクショナルシステム、サブシステム、および／または波形と呼ばれることもある。フラクショナルシステム、サブシステム、および／または波形は、たとえば、帯域幅を変化させてもさせなくてもよい。フラクショナルシステム、サブシステム、または波形は、通常または標準システム、サブシステム、または波形（たとえば、Ｎ＝１システム）よりも多い可能性を提供し得るので、フレキシブルであり得る。
【００５１】
[0075]  フレキシブル波形は、通常波形よりも少ない帯域幅を占有する波形である。たとえば、帯域エッジにおいて、通常波形を配置するために十分な利用可能なスペクトルがないことがある。通常波形とは異なり、通常波形とフレキシブル波形との間に部分的または完全な重複があり得る。フレキシブル波形は、システム容量を増大させ得ることに留意されたい。重複の程度とフレキシブル波形の帯域幅との間にトレードオフがあり得る。重複は、追加の干渉を生じ得る。実施形態は、方法、システム、および／またはデバイスに向けられ、干渉を低減することを目的とされ得る。
【００５２】
[0076]  次に図４を参照すると、ブロック図は、様々な実施形態による、フレキシブル帯域幅システム上でサービスを提供するためのデバイス４００を示す。このサービスは、ボイスサービスを含み得る。デバイス４００は、図１、図２、図３、図１２、および／または図１４を参照しながら説明する、基地局１０５の１つまたは複数の態様の一例であり得る。デバイス４００は、図１、図２、図３、図１２、図１３、および／または図１４を参照しながら説明する、モバイルデバイス１１５の１つまたは複数の態様の一例であり得る。デバイス４００はまた、プロセッサでもあり得る。デバイス４００は、受信機モジュール４０５と、スケーリングモジュール４１０と、スケーリング補償モジュール４１５と、および／または送信機モジュール４２０とを含み得る。これらの構成要素の各々は互いに通信していることがある。
【００５３】
[0077]  デバイス４００のこれらの構成要素は、個別にまたは集合的に、ハードウェア中の適用可能な機能の一部または全部を実行するように適応された１つまたは複数の特定用途向け集積回路（ＡＳＩＣ）を用いて実装され得る。代替的に、それらの機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
【００５４】
[0078]  受信機モジュール４０５は、パケット、データ、および／またはデバイス４００が何を受信または送信したかに関するシグナリング情報など、情報を受信し得る。受信された情報は、様々な目的のために、スケーリングモジュール４１０によって利用され得る。
【００５５】
[0079]  スケーリングモジュール４１０は、フレキシブル帯域幅システムの１つまたは複数のスケーリング係数を識別し得る。いくつかの実施形態では、フレキシブル帯域幅システムの１つまたは複数の態様は、スケーリングモジュール４１０を利用して、スケーリング係数に基づいてスケーリングされる。フレキシブル帯域幅システムの１つまたは複数の態様のスケーリングは、スケーリング補償モジュール４１５を利用して、コード領域内で１つまたは複数の態様を変更することを通して補償され得る。
【００５６】
[0080]  スケーリング補償モジュール４１５を利用して、コード領域内で１つまたは複数の態様を変更することを通して、フレキシブル帯域幅システムの１つまたは複数の態様のスケーリングを補償することは、様々なツールおよび技法を含み得る。たとえば、この補償は、拡散率を識別することを含み得る。拡散率は、調整された拡散率を生成するために、スケーリング係数を利用して調整され得る。いくつかの実施形態では、レートチューニングマッチングが、拡散率調整プロセスの一部として、少なくともパンクチャリングプロセスまたは反復プロセスを通して適用される。送信機モジュール４２０は、少なくとも調整された拡散率またはより遅い電力制御を補償するために、送信電力を増大させ得る。
【００５７】
[0081]  いくつかの実施形態では、スケーリング補償モジュール４１５を利用して、フレキシブル帯域幅の１つまたは複数の態様のスケーリングを補償することは、ＭＡＣ層からボイスフレームを受信することを含む。１つまたは複数のスロット境界が、ＰＨＹ層における１つまたは複数の通常フレーム境界に対して決定され得る。ボイスフレームは、１つまたは複数のスロット時間境界のうちの１つにおいて送信され得る。いくつかの実施形態では、１つまたは複数のスロット時間境界のうちの１つにおいて、ボイスフレームを送信することは、ある時間期間だけボイスフレームを送信することを遅延させることをさらに含み、この時間期間は、追加のスロット時間境界を含み得る。
【００５８】
[0082]  スケーリング補償モジュール４１５を利用して、コード領域内で１つまたは複数の態様を変更することを通して、フレキシブル帯域幅システムの１つまたは複数の態様のスケーリングを補償することは、ボイスフレームを識別することを含み得る。ボイスフレームは、スケーリング係数に応じて、複数のサブブロックにセグメント化され得る。複数のサブブロックは、複数のチャネル上で同時に送信され得る。チャネルの数またはカーディナリティは、スケーリング係数に等しくなり得る。複数のチャネルの数またはカーディナリティは、スケーリング係数を超え得る。
【００５９】
[0083]  スケーリング補償モジュール４１５を利用して、コード領域内で１つまたは複数の態様を変更することを通して、フレキシブル帯域幅システムの１つまたは複数の態様のスケーリングを補償することは、フレキシブル帯域幅システムの１つまたは複数の態様のスケーリングによって影響を受けるデータレートを維持するために、コードレートを調整することを含み得る。コード領域内で１つまたは複数の態様を変更することを通して、フレキシブル帯域幅システムの１つまたは複数の態様のスケーリングを補償することは、フレキシブル帯域幅システムの１つまたは複数の態様のスケーリングによって影響を受けるデータレートを維持するために、変調方式を調整することを含み得る。いくつかの実施形態は、スケーリング補償モジュール４１５を利用して、受信されたボイスフレームを少なくとも復調または復号するために、サブフレーム復号方式を利用し得る。いくつかの実施形態では、スケーリング補償モジュール４１５は、スケーリング係数Ｎに従ってＡＭＲコーデックレートを調整することによって、フレキシブル帯域幅システムのスケーリングを補償するように構成され得る。
【００６０】
[0084]  たとえば、上記で説明したように、スケーリング補償モジュール４１５は、フレキシブル帯域幅システムにおいてボイスサービスのためのソリューションを提供するように構成され得る。いくつかの実施形態は、ＵＭＴＳフレキシブル帯域幅システムのための特定のソリューションを提供する。場合によっては、帯域幅は、
【数１】
0005944521.tif 000002
【００６１】
として定義され得、ただし、ＢＷnormは、通常モードで動作するシステムの帯域幅であり、ｒおよびｓは正の整数であり、ｒ≦ｓである。具体的には、以下の例は、最も一般的に使用される構成であり得る、ｒ＝１である例を含み得る。ＣＤＭＡおよびＷＣＤＭＡシステムでは、このことは、時間領域におけるチップ持続時間がｓの割合でスケーリングされ、および、したがって、スロット、サブフレーム、および無線フレーム持続時間に対して同じスケーリングであることを暗示し得る。ここで、ｓは、フレキシブル帯域幅システムに関して上記で説明したスケーリング係数Ｎの一例に対応する。他の実施形態は、ｒ≠１である状況に適用され得る。
【００６２】
[0085]  システムタイミングにおけるスケーリングのために、膨張されたレート（dilated rate）をもつ現在の無線構成は、たとえば、もはやいくつかのデータレートを満たさないことがある。その上、サービス品質が、膨張されたレートによって低下され得る。このおよび他の問題を解決するために、いくつかの実施形態は、もたらされるレイテンシを可能な限り小さく抑制しながら、所望のデータレートを維持することによって、アップリンクとダウンリンクの両方のための解決策を提供する。以下で与えられるいくつかの例は、ＵＭＴＳシステムに焦点を当てるが、与えられるツールおよび技法は、他の無線アクセス技術に適用可能であり得る。
【００６３】
[0086]  いくつかの実施形態は、ＵＭＴＳにおける適応マルチレート（ＡＭＲ）ベースのボイスサービスに適用可能であり得る。ＡＭＲオーディオコーデックは、１９９９年に３ＧＰＰによって標準的な音声コーデックとして採用されたものであり、現在、ＧＳＭおよびＵＭＴＳにおいて広く使用されている。ＡＭＲコーデックでは、各ボイスフレームは２０ｍｓの長さであり、１２．２ｋｂｐｓから４．７５ｋｂｐｓに及ぶ合計８つのタイプのビットレートがある。いくつかの実施形態は、最高ビットレート１２．２ｋｂｐｓとともにＡＭＲコーデックを使用するボイスサービス、すなわち、３ＧＰＰ  ＴＳ３４．１０８、セクション６．１０．２．２において定義されている「Ｃｏｎｖｅｒｓａｔｉｏｎａｌ／ｓｐｅｅｃｈ／ＵＬ：１２．２  ＤＬ：１２．２ｋｂｐｓ／ＣＳ  ＲＡＢ＋ＵＬ：３．４  ＤＬ：３．４ｋｂｐｓ  ＳＲＢｓ  ｆｏｒ  ＤＣＣＨ」のために構成され得る。他の実施形態は、他のビットレート、オーディオコーデック、および／または無線アクセス技術を利用し得る。いくつかの実施形態は、様々なレートおよび／または様々なフレームサイズとともに新しいコーデックを利用し得、これらのレートおよび／またはフレームサイズもまた、フレキシブルレートおよび／またはフレキシブルフレームサイズであり得る。
【００６４】
[0087]  フレキシブル帯域幅システムにおいて同じボイス品質を維持するために、情報データレートを通常モードの情報データレート（たとえば、１２．２ｋｂｐｓ）と同等または同じに保つことが望ましくなり得る。すなわち、１つのボイスフレームは、スケーリング係数Ｎには関係なく、送信時に時間ウィンドウ（たとえば、２０ｍｓの時間ウィンドウ）にマッピングされつづけ得る。いくつかの実施形態は、コーデックを取り換え得る。いくつかの実施形態は、そのような結果を達成し得る様々な送信方式を提供し得る。たとえば、いくつかの実施形態は、拡散率および／またはレートマッチングチューニングを調整し得る。他の実施形態は、マルチコード送信を利用し得る。これらのツールおよび技法は、別個に、または互いと組み合わせて利用され得る。両方の送信方式は、モバイルデバイスおよび／または基地局に適用され得る。
【００６５】
[0088]  いくつかの実施形態は、フレキシブル帯域幅システムに関連付けられたスケーリング効果を補償するために、１つまたは複数の拡散率を調整する。たとえば、コード領域内で１つまたは複数の態様を変更することを通して、フレキシブル帯域幅システムの１つまたは複数の態様のスケーリングを補償することは、拡散率を識別することを含み得る。拡散率は、調整された拡散率を生成するために、スケーリング係数を利用して調整され得る。いくつかの実施形態では、レートチューニングマッチングが、拡散率調整プロセスの一部として、少なくともパンクチャリングプロセスまたは反復プロセスを通して適用される。図４のスケーリング補償モジュール４１５は、拡散率を調整するように構成され得、同様に、それぞれ、図１２および図１３のスケーリング補償モジュール４１５−ａおよび／または４１５−ｂは、拡散率を調整し、ならびに／または、反復および／もしくはパンクチャリングを提供し得る。いくつかの実施形態では、それぞれ、図１２および図１３の拡散率モジュール１２８１／１３８１、パンクチャリングモジュール１２８２／１３８２、および／または反復モジュール１２８３／１３８３など、特定のモジュールが、拡散率を調整すること、パンクチャリングを利用すること、および／または反復を利用することに関する特定の機能を提供するために利用され得る。いくつかの実施形態は、詳細には、フレキシブル帯域幅システムによるアップリンクとダウンリンクの両方のための専用物理データチャネル（ＤＰＤＣＨ）の構成に適用可能である。
【００６６】
[0089]  通常動作モード（すなわち、Ｎ＝１）では、ＳＦnormおよびＣnormは、それぞれ、拡散率、および時間ウィンドウ（与えられた例では、２０ｍｓ）当たりのチャネルビットの数を表し得る。たとえば、３ＧＰＰ  ＴＳ３４．１０８、セクション６．１０．２．４．１．４を利用すると、いくつかの実施形態は、アップリンクではＣnorm＝１２００とＳＦnorm,UL＝６４、ダウンリンクではＳＦnorm,DL＝１２８を有する。
【００６７】
[0090]  フレキシブル帯域幅システムでは、スケーリング係数が２の倍数（すなわち、Ｎ＝２n、ｎ＝１、２、．．．）であるとき、拡散率は、次のように計算され得る。
【数２】
0005944521.tif 000003
【００６８】
たとえば、時間ウィンドウ（たとえば、２０ｍｓ）当たりのチャネルビットの数は、不変のままであり得、すなわち、Ｃfrac＝Ｃnormである。Ｎが２の整数乗ではないとき、拡散率は、場合によっては以下であり得る。
【数３】
0005944521.tif 000004
【００６９】
場合によっては、拡散率は以下であり得る。
【数４】
0005944521.tif 000005
【００７０】
これらの調整された拡散率は、それぞれ、（通常モードのレートマッチングと比較して）より多くのパンクチャリングまたはより多くの反復によって達成された、好適なフレーム当たりのチャネルビットの数と併せて利用され得る。
【００７１】
[0091]  図５Ａは、Ｎの様々な値についての、拡散率と、時間ウィンドウ（たとえば、２０ｍｓ）当たり、ならびにスロット当たりのチャネルビットの数とのいくつかの可能な組合せの例をもつ、表５００−ａを示す。他の組合せが、いくつかの実施形態では利用され得る。これらの例では、アップリンクでは、ＳＦUL,DPDCHおよびＣUL,DPDCHは、それぞれ、物理データチャネルＤＰＤＣＨのための拡散率およびチャネルビットの数を示す。ダウンリンクでは、ＳＦDL,DPCHおよびＣDL,DPCHは、たとえば、それぞれ、（ＤＰＤＣＨおよびＤＰＣＣＨの時間多重化である）物理チャネルＤＰＣＨのための拡散率およびチャネルビットの数を示す。
【００７２】
[0092]  いくつかの実施形態は、フレキシブル帯域幅システムでは、ＤＰＣＣＨ構成などのチャネル構成を提供し得る。図４のスケーリング補償モジュール４１５は、様々なチャネル構成を提供するように構成され得、同様に、それぞれ、図１２および図１３のスケーリング補償モジュール４１５−ａおよび／または４１５−ｂは、様々なチャネル構成を提供し得る。いくつかの実施形態では、それぞれ、図１２および図１３のチャネル構成モジュール１２８４／１３８４など、特定のモジュールが、様々なチャネル構成を提供することに関する特定の機能を提供するために利用され得る。たとえば、アップリンク送信では、スロットフォーマット０を使用するＤＰＣＣＨフィールドにおけるビットの数が、図示されたスケーリング係数について、図５Ｂの表５００−ｂに示され得る。ＴＰＣおよびパイロットビットでは、いくつかの実施形態は、合計（ＳＦUL,DPCCH,norm／ＳＦUL,DPCCH,frac）個のコピーを生じるために、（たとえば、３ＧＰＰ  ＴＳ２５．２１１、表３−５において定義された）基本パターンを反復することによって、単純な反復方法を利用し得る。ＴＦＣＩでは、ＫTFCI,20msとして示され得る、時間ウィンドウ（たとえば、２０ｍｓ）当たりのビットの総数は、図５Ｂの表５００−ｂの最後の列に示される。いくつかの実施形態では、２０ｍｓ内で３２個のＴＦＣＩ符号化ビット｛ｂ0，．．．，ｂ31｝をＫTFCI,20ms個のＴＦＣＩチャネルビット
【数５】
0005944521.tif 000006
【００７３】
にマッピングすることは、
【数６】
0005944521.tif 000007
【００７４】
によって行われ得る。
【００７５】
[0093]  異なるスケーリング係数では、いくつかの実施形態は、ＫTFCI,20ms＞３２であることを保証する。このことは、３２個のＴＦＣＩ符号化ビットが、２０ｍｓ持続時間中に少なくとも１回送信され得ることを意味し得る。Ｎ＝４、８など、いくつかのスケーリング係数では、時間ウィンドウ（たとえば、２０ｍｓ）当たりのスロットの数は、もはや整数でないことがある。このことは、時間ウィンドウ（たとえば、２０ｍｓのウィンドウ）境界が、スロットの途中に入り得ることを暗示し得る。そのようなスロットでは、スロット当たりのＴＦＣＩビットの数は、２つの連続するボイスフレームからのＴＦＣＩビットが自然に適合され得るように設計され得る。たとえば、Ｎ＝８であるとき、２０ｍｓの時間ウィンドウ当たりのスロットの数は、３．７５に等しく、ＴＦＣＩビットの数は１６に等しい。２つのボイスフレームによって共有されたスロットでは、合計１６ビットのうちの１２個のＴＦＣＩビット（ちょうど７５％であり得る）が、前者のボイスフレームによって消費され得、後者によって４ビットが消費され得る。
【００７６】
[0094]  ダウンリンクでは、ＤＰＣＣＨおよびＤＰＤＣＨは、ＤＰＣＨとして時間多重化され得、同じ拡散率を使用し得る。（通常はボイスサービスのために使用される）スロットフォーマット８を使用するダウンリンクＤＰＣＣＨフィールドにおけるビット数が、いくつかの例示的なスケーリング係数について、表５００−ｃを含む図５Ｃに示され得る。これらの例では、ＴＦＣＩビットの数はゼロである。したがって、アップリンクとは異なり、ＴＦＣＩの特殊な処理は含まれないことがある。アップリンクと同様に、ＴＰＣおよびパイロットビットは、合計（ＳＦDL,DPCH,norm／ＳＦDL,DPCH,frac）個のコピーを生じるために、（３ＧＰＰ  ＴＳ２５．２１１、表１２−１３において定義され得る）基本パターンを反復することによって、単純に取得され得る。
【００７７】
[0095]  いくつかの実施形態は、スケーリングを補償するためのプロセスの一部であり得る、送信電力調整を行う。図４のスケーリング補償モジュール４１５は、送信電力調整を行うように構成され得、同様に、それぞれ、図１２および図１３のスケーリング補償モジュール４１５−ａおよび／または４１５−ｂは、送信電力を調整し得る。いくつかの実施形態では、それぞれ、図１２および図１３の送信電力モジュール１２８５／１３８５など、特定のモジュールが、送信電力調整を提供するために利用され得る。一般に、拡散率の低減は、リンクバジェットに影響を及ぼし得る。同じボイスサービスカバレージを維持するために、モバイルデバイスおよび／または基地局は、選択された拡散率および／またはレートマッチングチューニング方法に従って、送信電力を増大させる必要があり得る。
【００７８】
[0096]  いくつかの実施形態は、フレキシブル帯域幅システムのためのレイテンシ管理を行う。たとえば、第１のボイスフレームがＭＡＣにおいて利用可能になると、第１のボイスフレームはＰＨＹへ送出され得る。何らかのＰＨＹ層の可能な処理後、オーバージエアでの送信が、現在の仕様制限のために、次の無線フレーム境界においてのみ開始することを可能にされ得る。フレキシブル帯域幅システムでは、このことは、最大レイテンシが、１つの膨張された無線フレーム（dilated radio frame）と同じ大きさ、または、いくつかの実施形態では、Ｎが大きいときに極めて望ましくないことがあり得る、１０ｍｓ×Ｎであり得ることを暗示し得る。
【００７９】
[0097]  いくつかの実施形態は、物理層送信が１つまたは複数のスロット境界において可能にされ得るように、この問題に対処する。たとえば、フレキシブル帯域幅の１つまたは複数の態様のスケーリングを補償することは、ＭＡＣ層からボイスフレームを受信することを含み得る。１つまたは複数のスロット境界が、ＰＨＹ層における１つまたは複数の通常フレーム境界に対して決定され得る。ボイスフレームは、１つまたは複数のスロット時間境界のうちの１つにおいて送信され得る。いくつかの実施形態では、１つまたは複数のスロット時間境界のうちの１つにおいて、ボイスフレームを送信することは、追加のスロット時間境界だけボイスフレームを送信することを遅延させることをさらに含む。
【００８０】
[0098]  図４のスケーリング補償モジュール４１５は、様々な実施形態によるレイテンシ管理のために構成され得、同様に、それぞれ、図１２および図１３のスケーリング補償モジュール４１５−ａおよび／または４１５−ｂは、レイテンシ管理を行い得る。いくつかの実施形態では、それぞれ、図１２および図１３のレイテンシ管理モジュール１２８６／１３８６など、特定のモジュールが、レイテンシ管理を行うために利用され得る。
【００８１】
[0099]  いくつかの実施形態は、時間ウィンドウ（たとえば、２０ｍｓのウィンドウ）をボイスサービスのための「サブＴＴＩ」として定義する。サブＴＴＩ中に含まれている時間スロットの数が、計算され得る。いくつかの実施形態では、その２０ｍｓのサブＴＴＩ中に含まれている時間スロットの数は、
【数７】
0005944521.tif 000008
【００８２】
として表され得る。ＰＨＹ送信のためのタイミングは、ｎの値に依存し得る。たとえば、ｎが整数（たとえば、Ｎ＝２、３、５、６）である場合、ボイスフレームがＰＨＹへ送出され得るようになると、送信は、すぐ次のスロット境界において開始され得る。図６Ａは、様々な実施形態による、タイムライン６００−ａの一例を示し、ただし、ｔ＿０は、ボイスフレーム６０１がＭＡＣ６０７からＰＨＹ６０５へ送出される時間であり、ｔ＿１は、ＰＨＹ６０５がすぐ次のスロット境界６２０−ａにおいて送信を開始する時間であり、ｔ＿２は、ボイスフレーム６０２がＰＨＹ６０５へ送出される時間であり、ｔ＿３は、ボイスフレーム６０１の送信が完了され、ボイスフレーム６０２の送信が開始される時間である。サブＴＴＩ６１０は整数個のスロットを含み得るので、サブＴＴＩ６１０の終わりは、ちょうどスロット境界６２０−ｂ上にあり得ることに留意されたい。最大遅延は、場合によっては、単一のスロット、または（１０ｍｓ×Ｎ／１５）によって上限がつけられ得る。
【００８３】
[0100]  ｎが整数でない（たとえば、Ｎ＝４、８）の場合、サブＴＴＩ６１０−ａ境界が、図６Ｂのタイミング図６００−ｂにおいて示されるように、スロットの途中に入り得るので、すぐ次のスロット境界において送信を開始することは問題になり得る。スロットロケーションウィンドウ６２５は、時刻ｔ＿２とｔ＿３の両方が単一のスロットに入る場合を示す。そのような場合では、このスロット中に送信されるべきコンテンツはその送信が開始する前にアセンブルされる必要があり得るので、ボイスフレーム６０２の送信がｔ＿３の直後に続くことは実行不可能になり得、したがって、望ましくない中断を引き起こし得る。
【００８４】
[0101]  いくつかの実施形態は、もう１つのスロットだけ、すなわち、２番目に次のスロット境界において送信を開始することによって、送信の開始を遅延させることを通して、この問題に対処し得る。最大遅延は、２つのスロット、またはいくつかの実施形態では、（２×１０ｍｓ×Ｎ／１５）によって上限がつけられ得る。タイミング図６００−ｂは、サブＴＴＩ６１０−ａが非整数個のスロットを含むときの送信の一例を示す。送信の開始は、ｔ＿１＋１タイムスロットの追加の遅延であり得る。図６Ｃは、スロット境界手法と比較して、フレーム境界手法を利用するいくつかの実施形態に関する、最大レイテンシを比較する例を与える表６００−ｃを示す。他の実施形態は、他のスケーリング係数Ｎを利用し得、フレーム持続時間など、異なるファクタに応じて異なる数値結果を生じ得る。
【００８５】
[0102]  いくつかの実施形態は、フレキシブル帯域幅システムのスケーリング効果を補償するために、マルチコード送信を利用し得る。場合によっては、同じ拡散率が調整されないことがある。たとえば、利用される拡散率は、通常モードではＴＳ３４．１０８において指定されたものであり得（たとえば、アップリンクではＳＦ＝６４、およびダウンリンクではＳＦ＝１２８）、次に、採用されるＮ個のＤＰＣＨがあり得る。
【００８６】
[0103]  いくつかの実施形態では、図４のスケーリング補償モジュール４１５は、フレキシブル帯域幅システムの１つまたは複数の態様のスケーリングを補償するために、マルチコード送信を利用するように構成され、同様に、それぞれ、図１２および図１３のスケーリング補償モジュール４１５−ａおよび／または４１５−ｂは、マルチコード送信を利用し得る。いくつかの実施形態では、図１２および／または図１３のマルチコードモジュール１２８７／１３８７など、特定のモジュールが、マルチコード送信に関する特定の機能を提供するために利用され得る。
【００８７】
[0104]  いくつかの実施形態は、ワイヤレス通信システムの複数のコードチャネル上でボイスフレームを送信する。そのようなマルチコード実施形態は、フレキシブルまたは通常帯域幅システムを利用し得る。マルチコード実施形態は、コードチャネル間のオフセットを利用する実施形態と、非オフセット実施形態とを含む。いくつかの実施形態では、使用されるコードチャネルの数は、フレキシブル帯域幅コードチャネルのスケーリング係数よりも大きい。いくつかのマルチコードフレキシブル帯域幅実施形態では、レイテンシが増加され得るが、フレキシブルおよび／または通常帯域幅システムのための他のマルチコード実施形態は、同じ、または通常帯域幅シングルコードチャネルシステムよりもさらに低いレイテンシを有し得る。
【００８８】
[0105]  フレキシブル帯域幅スケーリングを補償するためのマルチコード送信の使用は、ボイスフレームを識別することを含み得る。ボイスフレームは、スケーリング係数に基づいて、複数のサブブロックまたはサブフレームにセグメント化され得る。複数のサブブロックまたはサブフレームは、複数のチャネル上で同時に送信され得る。チャネルの数またはカーディナリティは、スケーリング係数に等しくなり得る。いくつかの実施形態では、複数のチャネルの数またはカーディナリティは、スケーリング係数を超える。
【００８９】
[0106]  図７Ａは、様々な実施形態による、複数のコードチャネル上でのボイスフレームのマルチコード送信の一例を示すタイミング図７００−ａを示す。帯域幅スケーリング係数Ｎが１に等しい通常帯域幅システム７０１−ａでは、各ボイスフレーム（たとえば、ボイスフレーム７１０−ａ、７１０−ｂ、７１０−ｃなど）が、たとえば、２０ｍｓの単一のフレーム期間中に送信され得る。マルチコードシステム７０２−ａでは、各ボイスフレームは、様々な実施形態により、サブフレームまたはサブブロックを使用して、複数のコードチャネル上で送信され得る。タイミング図７００−ａに示されるように、マルチコードシステム７０２−ａは、第１のボイスフレームを３つのサブフレーム７２０−ａ−１、７２０−ａ−２、および７２０−ａ−３に分割し得、これらのサブフレームが、第１のコードチャネル７１５−ａ、第２のコードチャネル７１５−ｂ、および第３のコードチャネル７１５−ｃ上で並列に送信され得る。後続のボイスフレームもまた、ボイスサブフレーム（たとえば、７２０−ｂ−１、７２０−ｂ−２、７２０−ｂ−３、７２０−ｃ−１、７２０−ｃ−２、７２０−ｃ−３など）に分割され、コードチャネル７１５−ａ、７１５−ｂ、および７１５−ｃ上で並列に送信され得る。タイミング図７００−ａに示されるように、完全なボイスフレームは、３に等しい帯域幅スケーリング係数Ｎとともに、並列マルチコードシステム７０２−ａを使用して、単一のフレーム期間中に送信され得る。したがってこの実施形態は、通常システム７０１−ａと比較して、フレームレイテンシの増加を受けない。
【００９０】
[0107]  さらに、通常モードと同じまたは同等のデータレートを維持するために、１つのボイスフレームは、通常時間ウィンドウ（たとえば、２０ｍｓの時間ウィンドウ）にマッピングされたままであり得る。ＴＴＩは、複数の無線フレーム（たとえば、２つの無線フレーム（２０ｍｓ×Ｎ））に結合され得る。したがって、１つのＴＴＩ内に、各ボイスフレームにつき１つずつ、Ｎ個のコードチャネル（たとえば、Ｎ個のＣＣＴｒＣＨ）があり得る。場合によっては、これらのコードチャネルは、ＣＣＴｒＣＨnによって示され得、ｎ＝１、２、．．．、Ｎである。
【００９１】
[0108]  例としてのみ、ＣＣＴｒＣＨから物理チャネルへのマッピングは、次のように記載され得る。各ＣＣＴｒＣＨnについて、各ＣＣＴｒＣＨnがＮ個のサブブロック、すなわち、
【数８】
0005944521.tif 000009
【００９２】
にセグメント化され得、ｉ＝１、２、．．．、Ｎである。次いで、所与の添字ｉについて、基地局は最初に、Ｎ個のＣＣＴｒＣＨの各々からｉ番目のサブブロック（すなわち、
【数９】
0005944521.tif 000010
【００９３】
）を多重化し得、多重化結果をＤＰＣＨ＿ｉ上にマッピングし得る。このプロセスは、各添字ｉ＝１、２、．．．、Ｎについて反復され得、次いで、Ｎ個のＤＰＣＨが同時に送信され得る。たとえば、図７Ａは、スケーリング係数Ｎ＝３についてのそのようなマッピングプロセスの一例を反映し得、そこで、マッピングは、各ＣＣＴｒＣＨ（すなわち、サブフレーム７２０−ａ−１、７２０−ａ−２、７２０−ａ−３、７２０−ｂ−１、７２０−ｂ−２、７２０−ｂ−３、７２０−ｃ−１、７２０−ｃ−２、７２０−ｃ−３）から、物理チャネル（すなわち、ＤＰＣＨであり得る、チャネル７１５−ａ、７１５−ｂ、および７１５−ｃ）へのものであり得る。
【００９４】
[0109]  図７Ｂは、様々な実施形態による、特定の帯域幅スケーリング係数に基づいて一般に使用され得る、より多くのコードチャネルを採用する、マルチユーザマルチコードシステム７０２−ｂを示すタイミング図７００−ｂを示す。場合によっては、これはまた、複数のユーザに対してではなく、単一のユーザに対しても利用され得る。図７Ｂはまた、帯域幅スケーリング係数Ｎが１に等しい通常帯域幅システム７０１−ｂを示し、各ボイスフレーム（たとえば、ボイスフレーム７１０−ｃ、７１０−ｄ、７１０−ｅなど）が、たとえば、２０ｍｓの単一のフレーム期間中に送信され得る。マルチコードマルチユーザシステム７０２−ｂは、４つのコードチャネルと、２に等しい帯域幅スケーリング係数Ｎとともに示される。マルチユーザマルチコードシステム７０２−ｂによれば、ボイスフレームは、４つのサブフレームに分割され、フレーム期間の一部分のみの間に同時に送信され得る。たとえば、ボイスフレームは、４つのサブフレーム７５５−ａ、７５５−ｂ、７５５−ｃ、および７５５−ｄに分割され得る。各サブフレームは、コードチャネル７５２−ａ、７５２−ｂ、７５２−ｃ、および７５２−ｄ上で第１のフレーム期間の第１の部分中に送信され得る。タイミング図７００−ｂに示されるように、２のスケーリング係数をもち、４つのコードチャネルを使用するフレキシブル帯域幅システムでは、各サブフレームは、通常システムのためのフレーム期間の半分を取り得る。マルチユーザマルチコードシステム７０２−ｂは、したがって、通常システム７０１−ｂと比較して、フレームレイテンシを低減するために使用され得る。すなわち、一般にスケーリング係数に基づくよりも多くのコードチャネルが、符号化ボイスデータのための送信遅延を低減するために使用され得る。マルチユーザマルチコードシステム７０２−ｂでは、たとえば、第１のボイスフレームは、通常システムの場合よりも、受信機においてフレーム期間の半分だけ早く復号され得る。各後続のボイスフレーム（たとえば、７５７−ａ、７５７−ｂ、７５７−ｃ、７５７−ｄなど）もまた、複数のコードチャネル上で送信するために、通常フレーム期間の半分のみを取り、それによって、フレーム期間の２分の１だけボイスフレームレイテンシを低減し得る。タイミング図７００−ｂでは、このことは、たとえば、通常システム７０１−ｂと比較して、１０ｍｓだけボイスフレームレイテンシを低減し得る。
【００９５】
[0110]  タイミング図７００−ｂに示されるように、マルチユーザマルチコードシステム７０２−ｂは、複数のユーザがコードチャネルを共有することを可能にするために、時分割多重化を採用し得る。タイミング図７００−ｂに示されるように、第２のユーザは、第１のユーザが送信中でないフレーム期間の第２の部分中に、コードチャネル７５２−ａ、７５２−ｂ、７５２−ｃ、および７５２−ｄ上で、サブフレーム７６５−ａ、７６５−ｂ、７６５−ｃ、および７６５−ｄを送信し得る。マルチユーザマルチコードシステム７０２−ｂはまた、第２のユーザのためのボイスフレームレイテンシをも低減し得る。
【００９６】
[0111]  図７Ａ〜図７Ｂに示された様々なフレキシブル帯域幅システムについて、２または３に等しい帯域幅スケーリング係数Ｎを参照しながら説明したが、これらの技法は、１の帯域幅スケーリング係数を含む、他の帯域幅スケーリング係数とともに使用され得る。たとえば、マルチコードおよび／またはマルチユーザマルチコードシステムは、整数のスケーリング係数（たとえば、１、２、３、４、８など）または非整数のスケーリング係数とともに採用され得る。一般に、非整数のスケーリング係数（たとえば、０．５、１．５、２．５など）では、システムは、次に高い整数、２で割り切れる次に高い整数、または２の累乗である次に高い整数によって与えられたいくつかのコードチャネルを使用する。たとえば、２．２のフレキシブル帯域幅スケーリング係数では、システムは、３個、４個、または（３および４）個のコードチャネルを使用し得る。４．５のフレキシブル帯域幅スケーリング係数では、システムは、５個、６個、または８個のコードチャネルを使用し得る。他の実施形態は、他の数のコードチャネルを利用し得る。これらの実施形態は、ボイス通信のボイスフレームレイテンシを低減し、かつ／またはコードチャネルの時分割多重化を可能にし得る。
【００９７】
[0112]  いくつかの実施形態は、（大きいフレキシブル係数では、許容できないほどに長くなり得る）２つごとの無線フレームの終わりまで待機し、同時にすべてのＮ個のボイスフレームを復号することとは対照的に、受信エンティティが、各時間ウィンドウ（たとえば、２０ｍｓの時間ウィンドウ）の終わりに１つのボイスフレームのサブフレーム復号を実行することを可能にするための利点を提供し得る、マッピング方式を含む。そのような送信方式によってもたらされるレイテンシは、拡散率とレートマッチングチューニングとを使用するマルチコード送信方式のものと同じであり得る、Ｎ−１個のボイスフレームの最初のバッファリング時間であり得る。
【００９８】
[0113]  いくつかの実施形態では、マルチコード送信は、いくつかの特定の物理層規格（たとえば、３ＧＰＰ  ＴＳ２５．２１）とともに利用され得る。これらの実施形態は、たとえば、ＵＭＴＳアップリンクに対して適用可能であり得る。マルチコード送信は、場合によっては、４に等しい拡散率についてのみ可能にされ得、同時ＤＰＤＣＨの最大数は、６であり得る。したがって、アップリンク送信では、拡散率を調整すること、および／またはレートマッチングチューニングは、様々なスケーリング係数とともにより大きいフレキシビリティを与えることができ、したがって、モバイルデバイス側で実施されるべきより望ましいソリューションを与え得る。ダウンリンク（たとえば、ＵＭＴＳダウンリンク）では、いくつかの規格は、拡散率のいかなる制限もなしに、同時マルチコード送信を可能にし得る。結果として、拡散率調整および／またはマルチコード送信方式は、基地局側で実施され得る。フレキシブル帯域幅をもつ高度なＵＭＴＳの場合など、場合によっては、拡散率および同時チャネル（たとえば、ＤＰＤＣＨ）の数の制限は、アップリンクマルチコード送信では除去され得る。したがって、モバイルデバイスは、拡散率調整および／またはマルチコード送信のいずれかを選択する自由を有し得る。そのような場合、単純な統合ソリューションのために、モバイルデバイス側と基地局側の両方で同じ送信方式を実施することが、より望ましくなり得る。
【００９９】
[0114]  いくつかの実施形態は、ボイス受信のためのサブフレーム復号方式を利用し得る。このことは、フレキシブル帯域幅の使用によってもたらされる追加のレイテンシを最小限に抑える助けになり得る。サブフレームは、たとえば、スロットまたは電力制御グループ（ＰＣＧ）を含み得る。これらの復号方式は、拡散率調整またはマルチコード送信方式のいずれかと併せて使用され得、モバイルデバイスおよび／または基地局の両方に適用され得る。図４のスケーリング補償モジュール４１５は、サブフレーム復号方式を利用するように構成され得、同様に、それぞれ、図１２および図１３のスケーリング補償モジュール４１５−ａおよび／または４１５−ｂは、サブフレーム復号方式のために構成され得る。いくつかの実施形態では、図１２および／または図１３のサブフレーム復号モジュール１２９０／１３９０など、特定のモジュールが、サブフレーム復号方式に関する特定の機能を提供するために利用され得る。
【０１００】
[0115]  サブフレーム復号において、ＰＨＹは、時間ウィンドウ（たとえば、２０ｍｓの時間ウィンドウ）の終わりまでに、復調と復号とを実行し得、次いで、（１つのボイスフレームに対応する）トランスポートチャネルをＭＡＣへ送出し得る。いくつかの実施形態では、サブフレームはスロットを含み得る。ただし、ウィンドウ境界がスロットの途中に入り得るので、ＰＨＹは、その復調プロセスが各スロットの終わりにおいてのみトリガされ得る場合、そのスロットの終わりまで待機する必要があり得る。図８は、様々な実施形態による、サブフレーム復号タイミング図８００の一例を示す。タイミング図８００は、スロット（この例では、スロット７）の途中に入るウィンドウ境界８１０を示す。したがって、この例では、ＰＨＹは、場合によっては、スロット７の終わりまで待機し得る。この例では、スケーリング係数はＮ＝４であるが、実施形態は、他のスケーリング係数を利用してもよい。図５Ａの表５００−ａにおいて検討されたスケーリング係数Ｎ＝２、３、４、５、６、８では、もたらされる最大レイテンシは、スロットの４分の３（すなわち、０．５ｍｓ）であり得る。したがって、サブフレーム復号を実行することによって、受信機側のＴＴＩは、１つの時間ウィンドウ（たとえば、２０ｍｓ）＋スロット境界のための待機時間による小さい遅延として、維持され得る。マルチコード送信が利用されるとき、モバイルデバイスおよび／または基地局は、すべてのＮ個の同時に送信されたチャネルを復調および多重化し、次いで復号に進み得ることに留意されたい。たとえば、基地局および／またはモバイルデバイスは、すべてのＮ個の同時に送信されたＤＰＣＨを復調および多重化し、次いでＣＣＴｒＣＨ復号に進み得る。
【０１０１】
[0116]  他の実施形態は、他の技法を利用して、フレキシブル帯域幅コードチャネル上で受信されたボイスフレームのサブフレーム復号を実行し得る。サブフレームは、スロットまたは電力制御グループ（ＰＣＧ）を含み得る。たとえば、いくつかの実施形態は、１つまたは複数のコードチャネルのフレキシブル帯域幅スケーリング係数に基づいて、符号化ボイスフレーム（たとえば、フルレートボイスフレーム）中のサブフレームの数未満である終了ターゲットを定義し得る。送信機は、終了ターゲットに基づいて、ボイスフレームのすべてよりも少ないサブフレームを送信し得、受信機は、受信されたサブフレームに基づいてボイスフレームの復号を試行（すなわち、ボイスフレームのすべてのサブフレームを受信することなしに、復号を試行）し得る。アウターループ電力制御設定点は、終了ターゲットにおける所定のフレームエラーレートを与えるように調整され得る。
【０１０２】
[0117]  いくつかの実施形態は、コードレートを増加させること、および／または高次変調を使用することなど、他の調整を通して、フレキシブル帯域幅システムに関連付けられたスケーリングを補償する。たとえば、これらの他の手法は、フレキシブル帯域幅システムにおいて２０ｍｓの持続時間で送られた、物理データチャネルＤＰＤＣＨのためのアップリンクビットおよびダウンリンクビットである、ＣUL,DPDCHビットとＣDL,DPCHビットとを導出することにおいて利用され得る。図４のスケーリング補償モジュール４１５は、フレキシブル帯域幅システムにおけるスケーリングの効果を補償するために、コードレートを増加させ、かつ／またはより高い変調次数（modulation order）を使用するように構成され得、同様に、それぞれ、図１２および図１３のスケーリング補償モジュール４１５−ａおよび／または４１５−ｂは、コードレートを増加させ、かつ／またはより高い変調次数を使用するように構成され得る。いくつかの実施形態では、それぞれ、図１２および／または図１３のコードレートモジュール１２８８／１３８８、および／または変調方式モジュール１２８９／１３８９など、特定のモジュールが、フレキシブル帯域幅システム内のスケーリングを補償するために、コードレートを増加させること、および／または高次変調方式を利用することに関する特定の機能を提供するために利用され得る。
【０１０３】
[0118]  フレキシブル帯域幅システムでは、符号化後であるがレートマッチング前のビット数は、より少ないビットがレートマッチングブロック上で渡されるように、低減され得る。このことを達成する１つの方法は、コードレートを増加させることによるものであり得る。たとえば、それぞれコードレート１／３、１／３、および１／２を用いて畳み込みコードで符号化され得るＡＭＲ音声クラスＡ、Ｂ、およびＣビットシーケンスを搬送する３つのＤＣＨの場合、コードレートは、１／３から１／２まで、クラスＡおよびＢビットシーケンスについて増加され得る。たとえば、畳み込みコードレート１／２がクラスＡおよびＢビットの両方に対して使用され得るとき、１２．２ｋｂｐｓ  ＲＡＢ：ＡＭＲ  ＤＬのためのＴｒｃｈプロシージャ。いくつかの実施形態では、レートマッチング前のＤＣＨビットの数は、７７２から５６０ビットまで、２１２ビットだけ減少させられ得る。一般に、クラスＡおよびＢビットシーケンスの長さ（ＣＲＣおよびテールビットが含まれる）が、それぞれｘおよびｙであり、これらのシーケンスが、コードレート１／２でコーディングされる場合、レートマッチング前の得られたビット数は、コードレート１／３が両方のシーケンスをコーディングすることにおいて使用される場合よりも少ない、ｘ＋ｙであり得る。さらにビット数を減少させるため、クラスＣはコーディングされずに送られ得る。その場合、クラスＣシーケンスの長さがｚなら、ｘ＋ｙ＋ｚビットがレートマッチングブロックへ送られ得る。
【０１０４】
[0119]  ＤＣＨのさらなるレートマッチングでは、物理データチャネルＤＰＤＣＨのためのアップリンクビットおよびダウンリンクビットである、ＣUL,DPDCHとＣDL,DPCHとが取得され得る。Ｎ＝２のフレキシブル帯域幅システムへのコードレート変化適用を示す一例が、図９の表９００において示され、図９は、コードレートを変化させることによって、ＣUL,DPDCHビットとＣDL,DPCHビットとを導出することを示す。
【０１０５】
[0120]  第１のＮ＝２のオプションは、Ｎ＝２のスケーリング係数が、拡散率ＳＦUL,DPDCHとＳＦDL,DPCHとを同じに保ちながら、コードレートを変化させることと、通常帯域幅システムにおいて行われるよりも多くパンクチャリングすることとによって、サポートされ得る。第２のＮ＝２のオプションでは、２０ｍｓ当たりのＣUL,DPDCHとＣDL,DPCHとを取得するために、拡散率、コードレート、およびレートマッチングが変化させられ得る。
【０１０６】
[0121]  一般に、コードレートを調整するための能力は、物理データチャネルＤＰＤＣＨビットを導出するとき、より大きいフレキシビリティを追加する。このフレキシビリティによれば、送信のための適切なビット数と、また許容性能とを保証するために、拡散率、コードレート、および／またはレートマッチングをトレードオフすることができる。より多いパンクチャリングまたはより低い拡散率のために起こり得る劣化と同様に、コードレートを増加させることがコーディング損失を生じ得ることは、注目に値する。この損失は、送信電力を増大させることによって補償され得る。
【０１０７】
[0122]  いくつかの実施形態は、より高い変調方式を利用することによって、フレキシブル帯域幅システムのスケーリングを補償し得る。たとえば、１６−ＱＡＭおよび６４−ＱＡＭのようなより高い変調方式を使用することによって、ＵＭＴＳリリース９９においてサポートされる、ＱＰＳＫ変調と比較されたとき、より多くのビットがフレキシブル帯域幅システム内で対応され得る。たとえば、ＱＰＳＫ変調の場合、ＰＨＣＨマッピング中に、１ビットが１つの同相または４相（Ｉ／Ｑ）シンボルにマッピングするので、図１０のタイミング図１０００に示されたフレーム当たり６００ビット（すなわち、１０１０−ａ、１０１０−ｂ）は、６００ＱＰＳＫシンボル（すなわち、１０２０−ａ、１０２０−ｂ）にマッピングされ得る。（２ビットをＩ／Ｑシンボルにマッピングする）１６−ＱＡＭ変調、および（３ビットがＩ／Ｑシンボルにマッピングする）６４−ＱＡＭでは、２倍および３倍多いビットがフレーム中で送信され得る。他の実施形態は、異なる数のビットおよび／またはシンボルを利用し得る。フレキシブル帯域幅システムにおける変調の影響は、図１１の表１１００において提示された例を用いて示され得る。
【０１０８】
[0123]  Ｎ＝１システムをＮ＝２システムと比較すると、変調が変更されなかった場合、時間ウィンドウ（たとえば、２０ｍｓ）持続時間に適合するために必要とされたＣUL,DPDCHビットまたはＣDL,DPCHビットを取得するために、コードの数、拡散率、レートマッチング、および／またはコードパラメータが変更される必要があり得る。１６−ＱＡＭ変調を使用して、１２００ビットは依然として、他のパラメータのいずれをも変化させることなしに、Ｎ＝２システムにおいて２０ｍｓ持続時間中に対応され得る。同様に、Ｎ＝３システムは、６４−ＱＡＭを使用することによってサポートされ得る。より高いＮでは、変調調整は、時間ウィンドウ持続時間当たりのＣUL,DPDCHビットまたはＣDL,DPCHビットを取得するために、拡散率、レートマッチング、およびコードレートのような他のパラメータと組み合わされる必要があり得る。
【０１０９】
[0124]  いくつかの実施形態は、スケーリング係数Ｎに従ってＡＭＲコーデックレートを調整することによって、フレキシブル帯域幅システムのスケーリングを補償し得る。たとえば、Ｎ＝２のとき、いくつかの実施形態は、フルレートＡＭＲ（１２．２Ｋｂｐｓ）からハーフレートＡＭＲ（５．９Ｋｂｐｓ）へ切り替え得、以下のもの、すなわち、構成１−ＴＴＩを４０ｍｓ（または、膨張された時間領域（dilated time domain）では、２０Ｄｍｓ）として設定する、または構成２−ＴＴＩを２０ｍｓ（または、膨張された時間領域では、１０Ｄｍｓ）として設定するなどの構成を使用し得、いくつかの実施形態は、他の構成を利用し得る。構成１では、冗長性の低減がないことがあり、したがって、ＢＬＥＲにおける変化がないことがある。追加のレイテンシは、バッファリングによりもたらされ得（追加のレイテンシを低減または除去するために、スロットレベル区分化および／または充填が利用され得る）、すなわち、ＴＸで２０ｍｓ、およびＲＸ側で２０ｍｓ（サブフレーム復号が行われない場合）。場合によっては、ボイスサービスが、追加のレイテンシとともにハーフレートで動作するので、ユーザエクスペリエンスの低下があり得る。構成２では、場合によっては、ＳＦおよび／またはレートマッチング調整がないことがあり、したがって、冗長性の低減がないことがあり、この場合、追加のレイテンシがないことがある。同様に、Ｎ＝４のとき、いくつかの実施形態は、１／４レートＡＭＲ（２．４Ｋｂｐｓ）を利用し得、ＴＴＩを４０ｍｓ（または、膨張された時間領域では、１０Ｄｍｓ）として設定し得る。追加のレイテンシは、ＴＸで２０ｍｓ、およびＲＸ側で２０ｍｓであり得、そのような場合、２つの連続するボイスフレームは、一緒にバンドルされ得る。追加の遅延は、ＴＴＩを２０ｍｓ（または、膨張された時間領域では、５Ｄｍｓ）、すなわち、現在の３ＧＰＰ仕様によって許可されないことがある、無線フレームの半分として設定することによって、回避され得る。いくつかの実施形態は、２０ｍｓの絶対時間要件に一致するために、フレキシブルＴＴＩを含み得る。いくつかの実施形態では、追加の遅延を除去および／または低減するために、たとえば、ＴＴＩは、［ｃｅｉｌ（２０／（Ｎ＊．６７））＊．６７］Ｄｍｓまたは［ｆｌｏｏｒ（２０／（Ｎ＊．６７））＊．６７］Ｄｍｓであり得る。いくつかの実施形態では、（たとえば、ＨＳＰＡの場合のように）２ｍｓのＴＴＩを使用することは、（たとえば、Ｎ＜１０の値について）ＴＴＩバンドリングを利用し得る。
【０１１０】
[0125]  図１２は、様々な実施形態による、フレキシブル波形を利用するために構成され得る通信システム１２００のブロック図を示す。このシステム１２００は、図１に示されたシステム１００、図２のシステム２００、図３のシステム３００、および／または図１４のデバイス１４００の態様の一例であり得る。基地局１０５−ｄは、アンテナ１２４５と、トランシーバモジュール１２５０と、メモリ１２７０と、プロセッサモジュール１２６５とを含み得、その各々は、（たとえば、１つまたは複数のバスを介して）互いに直接または間接的に通信していることがある。トランシーバモジュール１２５０は、マルチモードモバイルデバイスであり得るモバイルデバイス１１５−ｅと、アンテナ１２４５を介して、双方向に通信するように構成され得る。トランシーバモジュール１２５０（および／または基地局１０５−ｄの他の構成要素）はまた、１つまたは複数のネットワークと双方向に通信するように構成され得る。場合によっては、基地局１０５−ｄは、ネットワーク通信モジュール１２７５を通して、ネットワーク１３０−ａおよび／またはコントローラ１２０−ａと通信し得る。基地局１０５−ｄは、ｅノードＢ基地局、ホームｅノードＢ基地局、ノードＢ基地局、および／またはホームノードＢ基地局の一例であり得る。コントローラ１２０−ａは、ｅノードＢ基地局の場合など、場合によっては、基地局１０５−ｄに組み込まれ得る。
【０１１１】
[0126]  基地局１０５−ｄはまた、基地局１０５−ｍおよび基地局１０５−ｎなど、他の基地局１０５とも通信し得る。基地局１０５の各々は、様々な無線アクセス技術など、様々なワイヤレス通信技術を使用して、モバイルデバイス１１５−ｅと通信し得る。場合によっては、基地局１０５−ｄは、基地局通信モジュール１２１５を利用して、１０５−ｍおよび／または１０５−ｎなど、他の基地局と通信し得る。いくつかの実施形態では、基地局通信モジュール１２１５は、基地局１０５のいくつかの間の通信を行うために、ＬＴＥワイヤレス通信技術内のＸ２インターフェースを提供し得る。いくつかの実施形態では、基地局１０５−ｄは、コントローラ１２０−ａおよび／またはネットワーク１３０−ａを通して、他の基地局と通信し得る。
【０１１２】
[0127]  メモリ１２７０は、ランダムアクセスメモリ（ＲＡＭ）と読取り専用メモリ（ＲＯＭ）とを含み得る。メモリ１２７０はまた、実行されるとプロセッサモジュール１２６５に本明細書で説明する様々な機能（たとえば、呼処理、データベース管理、メッセージルーティングなど）を実行させるように構成された命令を含んでいるコンピュータ可読、コンピュータ実行可能ソフトウェアコード１２７１を記憶し得る。代替的に、ソフトウェアコード１２７１は、プロセッサモジュール１２６５によって直接的に実行可能でないことがあるが、たとえば、コンパイルされ実行されるとき、コンピュータに本明細書で説明する機能を実行させるように構成され得る。
【０１１３】
[0128]  プロセッサモジュール１２６５は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール１２６５は、マイクロフォンを介してオーディオを受信し、そのオーディオを、受信されたオーディオを表す（たとえば、長さ３０ｍｓの）パケットに変換し、そのオーディオパケットをトランシーバモジュール１２５０に供給し、ユーザが話しているかどうかの指示を与えるように構成された音声符号器（図示せず）を含み得る。代替的に、符号器はパケットのみをトランシーバモジュール１２５０に供給し、パケット自体の供給または抑制／抑圧が、ユーザが話しているかどうかの指示を与え得る。
【０１１４】
[0129]  トランシーバモジュール１２５０は、パケットを変調し、変調されたパケットを送信のためにアンテナ１２４５に供給し、アンテナ１２４５から受信されたパケットを復調するように構成されたモデムを含み得る。基地局１０５−ｄのいくつかの例は単一のアンテナ１２４５を含み得るが、基地局１０５−ｄは、好ましくは、キャリアアグリゲーションをサポートし得る複数のリンクのための複数のアンテナ１２４５を含む。たとえば、モバイルデバイス１１５−ｅとのマクロ通信をサポートするために１つまたは複数のリンクが使用され得る。
【０１１５】
[0130]  図１２のアーキテクチャによれば、基地局１０５−ｄは、通信管理モジュール１２３０をさらに含み得る。通信管理モジュール１２３０は、他の基地局１０５との通信を管理し得る。例として、通信管理モジュール１２３０は、バスを介して基地局１０５−ｄの他の構成要素の一部または全部と通信している基地局１０５−ｄの構成要素であり得る。代替的に、通信管理モジュール１２３０の機能は、トランシーバモジュール１２５０の構成要素として、コンピュータプログラム製品として、および／またはプロセッサモジュール１２６５の１つまたは複数のコントローラ要素として実装され得る。
【０１１６】
[0131]  基地局１０５−ｄのための構成要素は、図４におけるデバイス４００に関して上記で説明した態様を実装するように構成され得、簡潔のためにここで繰り返さないことがある。たとえば、スケーリング補償モジュール４１５−ａは、図４のスケーリング補償モジュール４１５であり得る。スケーリング補償モジュール４１５−ａは、上記で説明したようにスケーリング補償を実施するために、１つまたは複数のモジュールまたはサブモジュールを含み得る。たとえば、スケーリング補償モジュール４１５−ａは、拡散率モジュール１２８１と、パンクチャリングモジュール１２８２と、反復モジュール１２８３と、チャネル構成モジュール１２８４と、送信電力モジュール１２８５と、レイテンシ管理モジュール１２８６と、マルチコードモジュール１２８７と、コードレートモジュール１２８８と、変調方式モジュール１２８９と、および／またはサブフレーム復号モジュール１２９０とを含み得る。いくつかの実施形態では、スケーリング補償モジュール４１５−ａは、フレキシブル帯域幅スケーリング係数に基づいてＡＭＲコーデックレートを調整するように構成されたＡＭＲコーデックレート調整モジュール１２９１を含み得る。
【０１１７】
[0132]  基地局１０５−ｄはまた、スペクトル識別モジュール１２２０をも含み得る。スペクトル識別モジュール１２２０は、フレキシブル波形のために利用可能なスペクトルを識別するために利用され得る。いくつかの実施形態では、ハンドオーバモジュール１２２５が、ある基地局１０５から別の基地局へのモバイルデバイス１１５−ｅのハンドオーバプロシージャを実行するために利用され得る。たとえば、ハンドオーバモジュール１２２５は、通常波形がモバイルデバイス１１５−ｅと基地局のうちの１つとの間で利用され、フレキシブル波形がモバイルデバイスと別の基地局との間で利用される場合、基地局１０５−ｄから別の基地局へのモバイルデバイス１１５−ｅのハンドオーバプロシージャを実行し得る。スケーリングモジュール４１０−ａは、フレキシブル波形を生成するために、チップレートをスケーリングおよび／または変更するために利用され得、これは、図４のスケーリングモジュール４１０の例であり得る。
【０１１８】
[0133]  いくつかの実施形態では、基地局１０５−ｄの他の可能な構成要素とともに、アンテナ１２４５と連動して、トランシーバモジュール１２５０は、基地局１０５−ｄからモバイルデバイス１１５−ｅへ、他の基地局１０５−ｍ／１０５−ｎ、またはコアネットワーク１３０−ａへ、フレキシブル波形および／またはスケーリング係数に関する情報を送信し得る。いくつかの実施形態では、基地局１０５−ｄの他の可能な構成要素とともに、アンテナ１２４５と連動して、トランシーバモジュール１２５０は、フレキシブル波形および／またはスケーリング係数などの情報を、モバイルデバイス１１５−ｅへ、他の基地局１０５−ｍ／１０５−ｎ、またはコアネットワーク１３０−ａへ、これらのデバイスまたはシステムがフレキシブル波形を利用し得るように送信し得る。
【０１１９】
[0134]  図１３は、様々な実施形態による、フレキシブル帯域幅の使用を可能にするように構成されたモバイルデバイス１１５−ｆのブロック図１３００である。モバイルデバイス１１５−ｆは、パーソナルコンピュータ（たとえば、ラップトップコンピュータ、ネットブックコンピュータ、タブレットコンピュータなど）、セルラー電話、ＰＤＡ、デジタルビデオレコーダ（ＤＶＲ）、インターネットアプライアンス、ゲームコンソール、電子リーダーなどのような、様々な構成のいずれかを有し得る。モバイルデバイス１１５−ｆは、モバイル動作を可能にするために、小型のバッテリーなどの内部電源（図示せず）を有し得る。いくつかの実施形態では、モバイルデバイス１１５−ｆは、図１、図２、図３、図１２、および／もしくは図１４のモバイルデバイス１１５、ならびに／または図４のデバイス４００であり得る。モバイルデバイス１１５−ｆは、マルチモードモバイルデバイスであり得る。モバイルデバイス１１５−ｆは、場合によっては、ワイヤレス通信デバイスと呼ばれることがある。
【０１２０】
[0135]  モバイルデバイス１１５−ｆは、アンテナ１３４０と、トランシーバモジュール１３５０と、メモリ１３８０と、プロセッサモジュール１３７０とを含み得、その各々は、（たとえば、１つまたは複数のバスを介して）互いに直接または間接的に通信していることがある。トランシーバモジュール１３５０は、上記で説明したように、アンテナ１３４０ならびに／あるいは１つまたは複数のワイヤードもしくはワイヤレスリンクを介して、１つまたは複数のネットワークと双方向に通信するように構成される。たとえば、トランシーバモジュール１３５０は、図１、図２、図３、図１２、および／または図１４の基地局１０５と双方向に通信するように構成され得る。トランシーバモジュール１３５０は、パケットを変調し、変調されたパケットを送信のためにアンテナ１３４０に供給し、アンテナ１３４０から受信されたパケットを復調するように構成されたモデムを含み得る。モバイルデバイス１１５−ｆは、単一のアンテナを含み得るが、モバイルデバイス１１５−ｆは通常、複数のリンクのための複数のアンテナ１３４０を含むことになる。
【０１２１】
[0136]  メモリ１３８０は、ランダムアクセスメモリ（ＲＡＭ）と読取り専用メモリ（ＲＯＭ）とを含み得る。メモリ１３８０は、実行されるとプロセッサモジュール１３７０に本明細書で説明する様々な機能（たとえば、呼処理、データベース管理、メッセージルーティングなど）を実行させるように構成された命令を含んでいるコンピュータ可読、コンピュータ実行可能ソフトウェアコード１３９５を記憶し得る。代替的に、ソフトウェア１３９５は、プロセッサモジュール１３７０によって直接的に実行可能でないことがあるが、（たとえば、コンパイルされ実行されると）コンピュータに本明細書で説明する機能を実行させるように構成され得る。
【０１２２】
[0137]  プロセッサモジュール１３７０は、たとえば、Ｉｎｔｅｌ（登録商標）ＣｏｒｐｏｒａｔｉｏｎまたはＡＭＤ（登録商標）製のものなどの中央処理装置（ＣＰＵ）、マイクロコントローラ、特定用途向け集積回路（ＡＳＩＣ）などのインテリジェントハードウェアデバイスを含み得る。プロセッサモジュール１３７０は、マイクロフォンを介してオーディオを受信し、そのオーディオを、受信されたオーディオを表す（たとえば、長さ３０ｍｓの）パケットに変換し、そのオーディオパケットをトランシーバモジュール１３５０に供給し、ユーザが話しているかどうかの指示を与えるように構成された音声符号器（図示せず）を含み得る。代替的に、符号器はパケットのみをトランシーバモジュール１３５０に供給し、パケット自体の供給または抑制／抑圧が、ユーザが話しているかどうかの指示を与え得る。
【０１２３】
[0138]  図１３のアーキテクチャによれば、モバイルデバイス１１５−ｆは、通信管理モジュール１３６０をさらに含み得る。通信管理モジュール１３６０は、他のモバイルデバイス１１５との通信を管理し得る。例として、通信管理モジュール１３６０は、バスを介してモバイルデバイス１１５−ｆの他の構成要素の一部または全部と通信しているモバイルデバイス１１５−ｆの構成要素であり得る。代替的に、通信管理モジュール１３６０の機能は、トランシーバモジュール１３５０の構成要素として、コンピュータプログラム製品として、および／またはプロセッサモジュール１３７０の１つまたは複数のコントローラ要素として実装され得る。
【０１２４】
[0139]  モバイルデバイス１１５−ｆのための構成要素は、図４のデバイス４００に関して上記で説明した態様を実装するように構成され得、簡潔のためにここで繰り返さないことがある。たとえば、スケーリング補償モジュール４１５−ｂは、図４のスケーリング補償モジュール４１５であり得る。スケーリング補償モジュール４１５−ｂは、上記で説明したようにスケーリング補償を実施するために、１つまたは複数のモジュールまたはサブモジュールを含み得る。たとえば、スケーリング補償モジュール４１５−ｂは、拡散率モジュール１３８１と、パンクチャリングモジュール１３８２と、反復モジュール１３８３と、チャネル構成モジュール１３８４と、送信電力モジュール１３８５と、レイテンシ管理モジュール１３８６と、マルチコードモジュール１３８７と、コードレートモジュール１３８８と、変調方式モジュール１３８９と、および／またはサブフレーム復号モジュール１３９０とを含み得る。いくつかの実施形態では、スケーリング補償モジュール４１５−ｂは、フレキシブル帯域幅スケーリング係数に基づいてＡＭＲコーデックレートを調整するように構成されたＡＭＲコーデックレート調整モジュール１３９１を含み得る。
【０１２５】
[0140]  モバイルデバイス１１５−ｆはまた、スペクトル識別モジュール１３１５をも含み得る。スペクトル識別モジュール１３１５は、フレキシブル波形のために利用可能なスペクトルを識別するために利用され得る。いくつかの実施形態では、ハンドオーバモジュール１３２５が、ある基地局から別の基地局へのモバイルデバイス１１５−ｆのハンドオーバプロシージャを実行するために利用され得る。たとえば、ハンドオーバモジュール１３２５は、通常波形がモバイルデバイス１１５−ｆと基地局のうちの１つとの間で利用され、フレキシブル波形がモバイルデバイスと別の基地局との間で利用される場合、ある基地局から別の基地局へのモバイルデバイス１１５−ｆのハンドオーバプロシージャを実行し得る。スケーリングモジュール４１０−ｂは、フレキシブル波形を生成するために、チップレートをスケーリングおよび／または変更するために利用され得、スケーリングモジュール４１０−ｂは、図４のスケーリングモジュール４１０の一例であり得る。
【０１２６】
[0141]  いくつかの実施形態では、モバイルデバイス１１５−ｆの他の可能な構成要素とともに、アンテナ１３４０と連動して、トランシーバモジュール１３５０は、モバイルデバイス１１５−ｆから基地局またはコアネットワークへ、フレキシブル波形および／またはスケーリング係数に関する情報を送信し得る。いくつかの実施形態では、モバイルデバイス１１５−ｆの他の可能な構成要素とともに、アンテナ１３４０と連動して、トランシーバモジュール１３５０は、フレキシブル波形および／またはスケーリング係数などの情報を、基地局またはコアネットワークへ、これらのデバイスまたはシステムがフレキシブル波形を利用し得るように送信し得る。
【０１２７】
[0142]  図１４は、様々な実施形態による、基地局１０５−ｅとモバイルデバイス１１５−ｇとを含むシステム１４００のブロック図である。このシステム１４００は、図１のシステム１００、図２のシステム２００、図３のシステム３００、および／または図１２のシステム１２００の一例であり得る。基地局１０５−ｅは、アンテナ１４３４−ａ〜１４３４−ｘを備え得、モバイルデバイス１１５−ｇは、アンテナ１４５２−ａ〜１４５２−ｎを備え得る。基地局１０５−ｅにおいて、送信機プロセッサ１４２０は、データソースからデータを受信し得る。
【０１２８】
[0143]  送信機プロセッサ１４２０は、データを処理し得る。送信機プロセッサ１４２０はまた、基準シンボルとセル固有基準信号とを生成し得る。送信（ＴＸ）ＭＩＭＯプロセッサ１４３０は、適用可能な場合、データシンボル、制御シンボル、および／または基準シンボルに対して空間処理（たとえば、プリコーディング）を実行し得、出力シンボルストリームを送信変調器１４３２−ａ〜１４３２−ｘに与え得る。各変調器１４３２は、（たとえば、ＯＦＤＭなどのために）それぞれの出力シンボルストリームを処理して、出力サンプルストリームを取得し得る。各変調器１４３２はさらに、出力サンプルストリームを処理（たとえば、アナログへの変換、増幅、フィルタ処理、およびアップコンバート）して、ダウンリンク（ＤＬ）信号を取得し得る。一例では、変調器１４３２−ａ〜１４３２−ｘからのＤＬ信号は、それぞれアンテナ１４３４−ａ〜１４３４−ｘを介して送信され得る。送信機プロセッサ１４２０は、プロセッサ１４４０から情報を受信し得る。プロセッサ１４４０は、チップレートを変更すること、および／またはスケーリング係数を利用することを通して、フレキシブル波形を生成するように構成され得、このことは、場合によっては動的に行われ得る。プロセッサ１４４０はまた、異なる整合および／またはオフセットプロシージャを行い得る。プロセッサ１４４０はまた、スケーリングおよび／またはチップレート情報を利用して、他のサブシステムにおける測定を実行し、他のサブシステムへのハンドオフを実行し、再選択などを実行し得る。プロセッサ１４４０は、パラメータスケーリングを通して、フレキシブル帯域幅の使用に関連付けられた時間伸張の効果を逆にし得る。いくつかの実施形態では、プロセッサ１４４０は、汎用プロセッサ、送信機プロセッサ１４２０、および／または受信機プロセッサ１４３８の一部として実装され得る。プロセッサ１４４０は、メモリ１４４２に結合され得る。
【０１２９】
[0144]  いくつかの実施形態では、プロセッサ１４４０は、フレキシブル帯域幅システム上でボイスサービスを提供するために構成される。フレキシブル帯域幅システム上でボイスサービスを提供することにおいて、プロセッサ１４４０は、フレキシブル帯域幅システムの１つまたは複数の態様のスケーリングを補償し得る。このことは、コード領域内で１つまたは複数の態様を変更することを通して達成され得る。たとえば、プロセッサは、スケーリングを補償するために、調整された拡散率を生成するために、スケーリング係数を利用して、拡散率を識別および／または調整し得る。プロセッサ１４４０は、マルチコード送信の使用、レイテンシ管理、サブフレーム復号、調整されたコードレート、調整されたＡＭＲコーデックレート、および／または調整された変調方式を含む、他の技法を利用して、フレキシブル帯域幅スケーリングを補償し得る。
【０１３０】
[0145]  モバイルデバイス１１５−ｇにおいて、モバイルデバイスアンテナ１４５２−ａ〜１４５２−ｎは、基地局１０５−ｅからＤＬ信号を受信し得、受信された信号をそれぞれ復調器１４５４−ａ〜１４５４−ｎに与え得る。各復調器１４５４は、入力サンプルを取得するために、それぞれの受信信号を調節（たとえば、フィルタ処理、増幅、ダウンコンバート、およびデジタル化）し得る。各復調器１４５４はさらに、（たとえば、ＯＦＤＭなどの）入力サンプルを処理して受信シンボルを取得し得る。ＭＩＭＯ検出器１４５６は、すべての復調器１４５４−ａ〜１４５４−ｎから受信シンボルを取得し、適用可能な場合は受信シンボルに対してＭＩＭＯ検出を実行し、検出シンボルを与え得る。受信プロセッサ１４５８は、検出シンボルを処理（たとえば、復調、デインターリーブ、および復号）し、モバイルデバイス１１５−ｇの復号されたデータをデータ出力に与え、復号された制御情報をプロセッサ１４８０、またはメモリ１４８２に与え得る。
【０１３１】
[0146]  アップリンク（ＵＬ）上で、モバイルデバイス１１５−ｇにおいて、送信機プロセッサ１４６４がデータソースからデータを受信し、処理し得る。送信機プロセッサ１４６４はまた、基準信号のための基準シンボルを生成し得る。送信機プロセッサ１４６４からのシンボルは、適用可能な場合は送信ＭＩＭＯプロセッサ１４６６によってプリコードされ、さらに（たとえば、ＳＣ−ＦＤＭＡなどのために）復調器１４５４−ａ〜１４５４−ｎによって処理され、基地局１０５−ｅから受信された送信パラメータに従って基地局１０５−ｅへ送信され得る。送信機プロセッサ１４６４はまた、チップレートを変更すること、および／またはスケーリング係数を利用することを通して、フレキシブル波形を生成するように構成され得、このことは、場合によっては動的に行われ得る。送信機プロセッサ１４６４は、プロセッサ１４８０から情報を受信し得る。プロセッサ１４８０は、異なる整合および／またはオフセットプロシージャを行い得る。プロセッサ１４８０はまた、スケーリングおよび／またはチップレート情報を利用して、他のサブシステムにおける測定を実行し、他のサブシステムへのハンドオフを実行し、再選択などを実行し得る。プロセッサ１４８０は、パラメータスケーリングを通して、フレキシブル帯域幅の使用に関連付けられた時間伸張の効果を逆にし得る。基地局１０５−ｅにおいて、モバイルデバイス１１５−ｇからのＵＬ信号は、アンテナ１４３４によって受信され、復調器１４３２によって処理され、適用可能な場合はＭＩＭＯ検出器１４３６によって検出され、さらに受信プロセッサによって処理され得る。受信プロセッサ１４３８は、復号されたデータをデータ出力とプロセッサ１４４０とに与え得る。いくつかの実施形態では、プロセッサ１４８０は、汎用プロセッサ、送信機プロセッサ１４６４、および／または受信機プロセッサ１４５８の一部として実装され得る。
【０１３２】
[0147]  いくつかの実施形態では、プロセッサ１４８０は、フレキシブル帯域幅システム上でボイスサービスを提供するために構成される。フレキシブル帯域幅システム上でボイスサービスを提供することにおいて、プロセッサ１４８０は、フレキシブル帯域幅システムの１つまたは複数の態様のスケーリングを補償し得る。このことは、コード領域内で１つまたは複数の態様を変更することを通して達成され得る。たとえば、プロセッサは、スケーリングを補償するために、調整された拡散率を生成するために、スケーリング係数を利用して、拡散率を識別および／または調整し得る。プロセッサ１４８０は、マルチコード送信の使用、レイテンシ管理、サブフレーム復号、調整されたコードレート、調整されたＡＭＲコーデックレート、および／または調整された変調方式を含む、他の技法を利用して、フレキシブル帯域幅スケーリングを補償し得る。
【０１３３】
[0148]  図１５Ａを参照すると、様々な実施形態による、フレキシブル帯域幅システム上で、ボイスサービスなどのサービスを提供するための方法１５００−ａのフロー図。方法１５００−ａは、限定はしないが、図１、図２、図３、図１２、および／もしくは図１４に示されているような基地局１０５、ならびに／または、図４に示されているようなデバイス４００を含む、様々なワイヤレス通信デバイスを利用して実施され得る。いくつかの実施形態では、方法１５００−ａは、限定はしないが、図１、図２、図３、図１２、図１３、および／もしくは図１４に示されているようなモバイルデバイス１１５、ならびに／または、図１および／もしくは図１２に示されているようなコアネットワーク１３０および／もしくはコントローラ１２０を含む、様々なワイヤレス通信デバイスを利用して実施され得る。
【０１３４】
[0149]  ブロック１５０５において、フレキシブル帯域幅システムのスケーリング係数が識別され得る。いくつかの実施形態では、フレキシブル帯域幅システムの１つまたは複数の態様が、ブロック１５１０に示されるように、スケーリング係数に基づいてスケーリングされる。ブロック１５１５において、フレキシブル帯域幅システムの１つまたは複数の態様のスケーリングが、コード領域内で１つまたは複数の態様を変更することを通して補償され得る。
【０１３５】
[0150]  コード領域内で１つまたは複数の態様を変更することを通して、フレキシブル帯域幅システムの１つまたは複数の態様のスケーリングを補償することは、様々なツールおよび技法を利用し得る。たとえば、この補償は、拡散率を識別することを含み得る。拡散率は、調整された拡散率を生成するために、スケーリング係数を利用して調整され得る。いくつかの実施形態では、レートチューニングマッチングが、拡散率調整プロセスの一部として、少なくともパンクチャリングプロセスまたは反復プロセスを通して適用される。いくつかの実施形態は、少なくとも調整された拡散率またはより遅い電力制御を補償するために、送信電力を増大させることを含む。いくつかの実施形態は、電力制御レートを増大させること、および／または電力制御ステップを変更することを含み得る。
【０１３６】
[0151]  いくつかの実施形態では、フレキシブル帯域幅の１つまたは複数の態様のスケーリングを補償することは、ＭＡＣ層からボイスフレームを受信することを含む。１つまたは複数のスロット境界が、ＰＨＹ層における１つまたは複数の通常フレーム境界に対して決定され得る。ボイスフレームは、１つまたは複数のスロット時間境界のうちの１つにおいて送信され得る。いくつかの実施形態では、１つまたは複数のスロット時間境界のうちの１つにおいて、ボイスフレームを送信することは、ある時間期間だけボイスフレームを送信することを遅延させることをさらに含み、この時間期間は、追加のスロット時間境界を含み得る。
【０１３７】
[0152]  コード領域内で１つまたは複数の態様を変更することを通して、フレキシブル帯域幅システムの１つまたは複数の態様のスケーリングを補償することは、ボイスフレームを識別することを含み得る。ボイスフレームは、スケーリング係数に基づいて、複数のサブブロックにセグメント化され得る。複数のサブブロックは、複数のチャネル上で同時に送信され得る。チャネルの数またはカーディナリティは、スケーリング係数に等しくなり得る。複数のチャネルの数またはカーディナリティは、スケーリング係数を超え得る。
【０１３８】
[0153]  コード領域内で１つまたは複数の態様を変更することを通して、フレキシブル帯域幅システムの１つまたは複数の態様のスケーリングを補償することは、フレキシブル帯域幅システムの１つまたは複数の態様のスケーリングによって影響を受けるデータレートを維持するために、コードレートを調整することを含み得る。コード領域内で１つまたは複数の態様を変更することを通して、フレキシブル帯域幅システムの１つまたは複数の態様のスケーリングを補償することは、フレキシブル帯域幅システムの１つまたは複数の態様のスケーリングによって影響を受けるデータレートを維持するために、変調方式を調整することを含み得る。いくつかの実施形態は、受信されたボイスフレームを少なくとも復調または復号するために、サブフレーム復号方式を利用し得る。コード領域内で１つまたは複数の態様を変更することを通して、フレキシブル帯域幅システムの１つまたは複数の態様のスケーリングを補償することは、スケーリング係数に従ってＡＭＲコーデックレートを調整することを含み得る。
【０１３９】
[0154]  図１５Ｂを参照すると、様々な実施形態による、フレキシブル帯域幅システム上で、ボイスサービスなどのサービスを提供するための方法１５００−ｂのフロー図。方法１５００−ｂは、限定はしないが、図１、図２、図３、図１２、および／もしくは図１４に示されているような基地局１０５、ならびに／または、図４に示されているようなデバイス４００を含む、様々なワイヤレス通信デバイスを利用して実施され得る。いくつかの実施形態では、方法１５００−ｂは、限定はしないが、図１、図２、図３、図１２、図１３、および／もしくは図１４に示されているようなモバイルデバイス１１５、ならびに／または、図１および／もしくは図１２に示されているようなコアネットワーク１３０および／もしくはコントローラ１２０を含む、様々なワイヤレス通信デバイスを利用して実施され得る。方法１５００−ｂは、図１５Ａの方法１５００−ａの一例であり得る。
【０１４０】
[0155]  ブロック１５０５−ａにおいて、フレキシブル帯域幅システムのスケーリング係数が識別され得る。いくつかの実施形態では、フレキシブル帯域幅システムの１つまたは複数の態様が、ブロック１５１０−ａに示されるように、スケーリング係数に基づいてスケーリングされる。フレキシブル帯域幅システムの１つまたは複数の態様のスケーリングは、ブロック１５１５−ａに示されるように、１つまたは複数のステップを利用して、コード領域内で１つまたは複数の態様を変更することを通して補償され得る。たとえば、ブロック１５２０において、拡散率が識別され得る。拡散率は、ブロック１５２５において、フレキシブル帯域幅システムの１つまたは複数の態様のスケーリングを補償するために、調整された拡散率が生成するために、スケーリング係数を利用して調整され得る。いくつかの実施形態では、レートチューニングマッチングが、拡散率調整プロセスの一部として、少なくともパンクチャリングプロセスまたは反復プロセスを通して適用される。
【０１４１】
[0156]  図１５Ｃを参照すると、様々な実施形態による、フレキシブル帯域幅システム上で、ボイスサービスなどのサービスを提供するための方法１５００−ｃのフロー図。方法１５００−ｃは、限定はしないが、図１、図２、図３、図１２、および／もしくは図１４に示されているような基地局１０５、ならびに／または、図４に示されているようなデバイス４００を含む、様々なワイヤレス通信デバイスを利用して実施され得る。いくつかの実施形態では、方法１５００−ｃは、限定はしないが、図１、図２、図３、図１２、図１３、および／もしくは図１４に示されているようなモバイルデバイス１１５、ならびに／または、図１および／もしくは図１２に示されているようなコアネットワーク１３０および／もしくはコントローラ１２０を含む、様々なワイヤレス通信デバイスを利用して実施され得る。方法１５００−ｃは、図１５Ａの方法１５００−ａの一例であり得る。
【０１４２】
[0157]  ブロック１５０５−ｂにおいて、フレキシブル帯域幅システムのスケーリング係数が識別され得る。いくつかの実施形態では、フレキシブル帯域幅システムの１つまたは複数の態様が、ブロック１５１０−ｂに示されるように、スケーリング係数に基づいてスケーリングされる。フレキシブル帯域幅システムの１つまたは複数の態様のスケーリングは、ブロック１５１５−ｂに示されるように、１つまたは複数のステップを利用して、コード領域内で１つまたは複数の態様を変更することを通して補償され得る。たとえば、ブロック１５３０において、ボイスフレームがＭＡＣ層から受信され得る。ブロック１５３５において、１つまたは複数のスロット境界が、ＰＨＹ層における１つまたは複数の通常フレーム境界に対して決定され得る。ブロック１５３７において、フレキシブル帯域幅システムの１つまたは複数の態様のスケーリングを補償するために、ボイスフレームが、１つまたは複数のスロット時間境界のうちの１つにおいて送信され得る。いくつかの実施形態では、１つまたは複数のスロット時間境界のうちの１つにおいて、ボイスフレームを送信することは、追加のスロット時間境界だけボイスフレームを送信することを遅延させることをさらに含む。
【０１４３】
[0158]  図１５Ｄを参照すると、様々な実施形態による、フレキシブル帯域幅システム上で、ボイスサービスなどのサービスを提供するための方法１５００−ｄのフロー図。方法１５００−ｄは、限定はしないが、図１、図２、図３、図１２、および／もしくは図１４に示されているような基地局１０５、ならびに／または、図４に示されているようなデバイス４００を含む、様々なワイヤレス通信デバイスを利用して実施され得る。いくつかの実施形態では、方法１５００−ｄは、限定はしないが、図１、図２、図３、図１２、図１３、および／もしくは図１４に示されているようなモバイルデバイス１１５、ならびに／または、図１および／もしくは図１２に示されているようなコアネットワーク１３０および／もしくはコントローラ１２０を含む、様々なワイヤレス通信デバイスを利用して実施され得る。方法１５００−ｄは、図１５Ａの方法１５００−ａの一例であり得る。
【０１４４】
[0159]  ブロック１５０５−ｃにおいて、フレキシブル帯域幅システムのスケーリング係数が識別され得る。いくつかの実施形態では、フレキシブル帯域幅システムの１つまたは複数の態様が、ブロック１５１０−ｃに示されるように、スケーリング係数に基づいてスケーリングされる。フレキシブル帯域幅システムの１つまたは複数の態様のスケーリングは、ブロック１５１５−ｃに示されるように、１つまたは複数のステップを利用して、コード領域内で１つまたは複数の態様を変更することを通して補償され得る。たとえば、ブロック１５４０において、ボイスフレームが識別され得る。ブロック１５４５において、ボイスフレームが、スケーリング係数に基づいて、複数のサブブロックにセグメント化され得る。ブロック１５４７において、フレキシブル帯域幅システムの１つまたは複数の態様のスケーリングを補償するために、複数のサブブロックが複数のチャネル上で同時に送信され得る。チャネルの数またはカーディナリティは、スケーリング係数に等しくなり得る。複数のチャネルの数またはカーディナリティは、スケーリング係数を超え得る。
【０１４５】
[0160]  図１５Ｅを参照すると、様々な実施形態による、フレキシブル帯域幅システム上で、ボイスサービスなどのサービスを提供するための方法１５００−ｅのフロー図。方法１５００−ｅは、限定はしないが、図１、図２、図３、図１２、および／もしくは図１４に示されているような基地局１０５、ならびに／または、図４に示されているようなデバイス４００を含む、様々なワイヤレス通信デバイスを利用して実施され得る。いくつかの実施形態では、方法１５００−ｅは、限定はしないが、図１、図２、図３、図１２、図１３、および／もしくは図１４に示されているようなモバイルデバイス１１５、ならびに／または、図１および／もしくは図１２に示されているようなコアネットワーク１３０および／もしくはコントローラ１２０を含む、様々なワイヤレス通信デバイスを利用して実施され得る。方法１５００−ｅは、図１５Ａの方法１５００−ａの一例であり得る。
【０１４６】
[0161]  ブロック１５０５−ｄにおいて、フレキシブル帯域幅システムのスケーリング係数が識別され得る。いくつかの実施形態では、フレキシブル帯域幅システムの１つまたは複数の態様が、ブロック１５１０−ｄに示されるように、スケーリング係数に基づいてスケーリングされる。フレキシブル帯域幅システムの１つまたは複数の態様のスケーリングは、ブロック１５１５−ｄに示されるように、１つまたは複数のステップを利用して、コード領域内で１つまたは複数の態様を変更することを通して補償され得る。たとえば、ブロック１５５０において、フレキシブル帯域幅システムの１つまたは複数の態様のスケーリングを補償するために、フレキシブル帯域幅システムの１つまたは複数の態様のスケーリングによって影響を受けるデータレートを維持するために、コードレートが調整され得る。
【０１４７】
[0162]  図１５Ｆを参照すると、様々な実施形態による、フレキシブル帯域幅システム上で、ボイスサービスなどのサービスを提供するための方法１５００−ｆのフロー図。方法１５００−ｆは、限定はしないが、図１、図２、図３、図１２、および／もしくは図１４に示されているような基地局１０５、ならびに／または、図４に示されているようなデバイス４００を含む、様々なワイヤレス通信デバイスを利用して実施され得る。いくつかの実施形態では、方法１５００−ｆは、限定はしないが、図１、図２、図３、図１２、図１３、および／もしくは図１４に示されているようなモバイルデバイス１１５、ならびに／または、図１および／もしくは図１２に示されているようなコアネットワーク１３０および／もしくはコントローラ１２０を含む、様々なワイヤレス通信デバイスを利用して実施され得る。方法１５００−ｆは、図１５Ａの方法１５００−ａの一例であり得る。
【０１４８】
[0163]  ブロック１５０５−ｅにおいて、フレキシブル帯域幅システムのスケーリング係数が識別され得る。いくつかの実施形態では、フレキシブル帯域幅システムの１つまたは複数の態様が、ブロック１５１０−ｅに示されるように、スケーリング係数に基づいてスケーリングされる。フレキシブル帯域幅システムの１つまたは複数の態様のスケーリングは、ブロック１５１５−ｅに示されるように、１つまたは複数のステップを利用して、コード領域内で１つまたは複数の態様を変更することを通して補償され得る。たとえば、ブロック１５６０において、フレキシブル帯域幅システムの１つまたは複数の態様のスケーリングを補償するために、フレキシブル帯域幅システムの１つまたは複数の態様のスケーリングによって影響を受けるデータレートを維持するために、変調方式が調整され得る。
【０１４９】
[0164]  図１５Ｇを参照すると、様々な実施形態による、フレキシブル帯域幅システム上で、ボイスサービスなどのサービスを提供するための方法１５００−ｇのフロー図。方法１５００−ｇは、限定はしないが、図１、図２、図３、図１２、および／もしくは図１４に示されているような基地局１０５、ならびに／または、図４に示されているようなデバイス４００を含む、様々なワイヤレス通信デバイスを利用して実施され得る。いくつかの実施形態では、方法１５００−ｇは、限定はしないが、図１、図２、図３、図１２、図１３、および／もしくは図１４に示されているようなモバイルデバイス１１５、ならびに／または、図１および／もしくは図１２に示されているようなコアネットワーク１３０および／もしくはコントローラ１２０を含む、様々なワイヤレス通信デバイスを利用して実施され得る。方法１５００−ｇは、図１５Ａの方法１５００−ａの一例であり得る。
【０１５０】
[0165]  ブロック１５０５−ｆにおいて、フレキシブル帯域幅システムのスケーリング係数が識別され得る。いくつかの実施形態では、フレキシブル帯域幅システムの１つまたは複数の態様が、ブロック１５１０−ｆに示されるように、スケーリング係数に基づいてスケーリングされる。フレキシブル帯域幅システムの１つまたは複数の態様のスケーリングは、ブロック１５１５−ｆに示されるように、１つまたは複数のステップを利用して、コード領域内で１つまたは複数の態様を変更することを通して補償され得る。たとえば、ブロック１５７０において、フレキシブル帯域幅システムの１つまたは複数の態様のスケーリングを補償するために、受信されたボイスフレームを少なくとも復調または復号するために、サブフレーム復号方式を利用し得る。
【０１５１】
[0166]  図１５Ｈを参照すると、様々な実施形態による、フレキシブル帯域幅システム上で、ボイスサービスなどのサービスを提供するための方法１５００−ｈのフロー図。方法１５００−ｈは、限定はしないが、図１、図２、図３、図１２、および／もしくは図１４に示されているような基地局１０５、ならびに／または、図４に示されているようなデバイス４００を含む、様々なワイヤレス通信デバイスを利用して実施され得る。いくつかの実施形態では、方法１５００−ｈは、限定はしないが、図１、図２、図３、図１２、図１３、および／もしくは図１４に示されているようなモバイルデバイス１１５、ならびに／または、図１および／もしくは図１２に示されているようなコアネットワーク１３０および／もしくはコントローラ１２０を含む、様々なワイヤレス通信デバイスを利用して実施され得る。方法１５００−ｈは、図１５Ａの方法１５００−ａの一例であり得る。
【０１５２】
[0167]  ブロック１５０５−ｇにおいて、フレキシブル帯域幅システムのスケーリング係数が識別され得る。いくつかの実施形態では、フレキシブル帯域幅システムの１つまたは複数の態様が、ブロック１５１０−ｇに示されるように、スケーリング係数に基づいてスケーリングされる。フレキシブル帯域幅システムの１つまたは複数の態様のスケーリングは、ブロック１５１５−ｇに示されるように、１つまたは複数のステップを利用して、コード領域内で１つまたは複数の態様を変更することを通して補償され得る。たとえば、ブロック１５８０において、ＡＭＲコーデックレートが、スケーリング係数に基づいて調整され得る。
【０１５３】
[0168]  添付の図面に関して上記に記載した発明を実施するための形態は、例示的な実施形態について説明しており、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。発明を実施するための形態は、説明される技法の理解を与えるために、具体的な詳細を含む。ただし、これらの技法は、これらの具体的な詳細なしに実施され得る。いくつかの事例では、説明される実施形態の概念を不明瞭にしないように、よく知られている構造およびデバイスがブロック図の形式で示される。
【０１５４】
[0169]  情報および信号は、様々な異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１５５】
[0170]  本明細書の開示に関連して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明された機能を実行するように設計されたそれらの任意の組合せによって、実装または実行され得る。汎用プロセッサはマイクロプロセッサであり得るが、代替として、プロセッサは任意の従来のプロセッサ、コントローラ、マイクロコントローラ、または状態機械であり得る。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、あるいは任意の他のそのような構成としても実装され得る。
【０１５６】
[0171]  本明細書で説明する機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上記で説明した機能は、プロセッサ、ハードウェア、ファームウェア、ハードワイヤリング、またはこれらのいずれかの組合せによって実行されるソフトウェアを使用して実装され得る。機能を実装する特徴はまた、機能の部分が、異なる物理ロケーションにおいて実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）を意味するような、選言的列挙を示す。
【０１５７】
[0172]  コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれる。
【０１５８】
[0173]  本開示の前述の説明は、当業者が本開示を作成または使用することができるように提供されたものである。本開示への様々な修正は当業者には容易に明らかであり、本明細書で定義した一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示する原理および新規の特徴に合致する最も広い範囲を与えられるべきである。
以下に本願の出願当初の請求項に記載された発明を付記する。
[Ｃ１]
フレキシブル帯域幅システム上でボイスサービスを提供するための方法であって、
前記フレキシブル帯域幅システムのスケーリング係数を識別することと、
前記スケーリング係数に基づいて、前記フレキシブル帯域幅システムの１つまたは複数の態様をスケーリングすることと、
コード領域内で１つまたは複数の態様を変更することを通して、前記フレキシブル帯域幅システムの前記１つまたは複数の態様の前記スケーリングを補償することとを備える方法。
[Ｃ２]
前記コード領域内で１つまたは複数の態様を変更することを通して、前記フレキシブル帯域幅システムの前記１つまたは複数の態様の前記スケーリングを補償することが、
拡散率を識別することと、
調整された拡散率を生成するために、前記スケーリング係数を利用して、前記拡散率を調整することと
を備える、Ｃ１に記載の方法。
[Ｃ３]
少なくともパンクチャリングプロセスまたは反復プロセスを通して、レートチューニングマッチングを適用すること
をさらに備える、Ｃ２に記載の方法。
[Ｃ４]
少なくとも前記調整された拡散率またはより遅い電力制御を補償するために、送信電力を増大させること
をさらに備える、Ｃ２に記載の方法。
[Ｃ５]
前記コード領域内で１つまたは複数の態様を変更することを通して、前記フレキシブル帯域幅システムの前記１つまたは複数の態様の前記スケーリングを補償することが、
ＭＡＣ層からボイスフレームを受信することと、
ＰＨＹ層における１つまたは複数の通常フレーム境界に対して、１つまたは複数のスロット境界を決定することと、
前記１つまたは複数のスロット時間境界のうちの１つにおいて、前記ボイスフレームを送信することと
を備える、Ｃ１に記載の方法。
[Ｃ６]
前記１つまたは複数のスロット時間境界のうちの１つにおいて、前記ボイスフレームを送信することが、
ある時間期間だけ前記ボイスフレームを送信することを遅延させること
をさらに備える、Ｃ５に記載の方法。
[Ｃ７]
前記時間期間が追加のスロット時間境界を備える、Ｃ６に記載の方法。
[Ｃ８]
前記コード領域内で１つまたは複数の態様を変更することを通して、前記フレキシブル帯域幅システムの前記１つまたは複数の態様の前記スケーリングを補償することが、
ボイスフレームを識別することと、
前記スケーリング係数に基づいて、前記ボイスフレームを複数のサブブロックにセグメント化することと、
前記複数のサブブロックを複数のチャネル上で同時に送信することと
を備える、Ｃ１に記載の方法。
[Ｃ９]
前記複数のチャネルのカーディナリティが、前記スケーリング係数に等しい、Ｃ８に記載の方法。
[Ｃ１０]
前記複数のチャネルのカーディナリティが、前記スケーリング係数を超える、Ｃ８に記載の方法。
[Ｃ１１]
前記コード領域内で１つまたは複数の態様を変更することを通して、前記フレキシブル帯域幅システムの前記１つまたは複数の態様の前記スケーリングを補償することが、
前記フレキシブル帯域幅システムの前記１つまたは複数の態様の前記スケーリングによって影響を受けるデータレートを維持するために、コードレートを調整することを備える、Ｃ１に記載の方法。
[Ｃ１２]
前記コード領域内で１つまたは複数の態様を変更することを通して、前記フレキシブル帯域幅システムの前記１つまたは複数の態様の前記スケーリングを補償することが、
前記フレキシブル帯域幅システムの前記１つまたは複数の態様の前記スケーリングによって影響を受けるデータレートを維持するために、変調方式を調整すること
を備える、Ｃ１に記載の方法。
[Ｃ１３]
前記コード領域内で１つまたは複数の態様を変更することを通して、前記フレキシブル帯域幅システムの前記１つまたは複数の態様の前記スケーリングを補償することが、
受信されたボイスフレームを少なくとも復調または復号するために、サブフレーム復号方式を利用すること
を備える、Ｃ１に記載の方法。
[Ｃ１４]
前記コード領域内で１つまたは複数の態様を変更することを通して、前記フレキシブル帯域幅システムの前記１つまたは複数の態様の前記スケーリングを補償することが、
前記スケーリング係数に基づいて、ＡＭＲコーデックレートを調整することを備える、Ｃ１に記載の方法。
[Ｃ１５]
フレキシブル帯域幅システム上でボイスサービスを提供するために構成されたワイヤレス通信システムであって、
前記フレキシブル帯域幅システムのスケーリング係数を識別するための手段と、
前記スケーリング係数に基づいて、前記フレキシブル帯域幅システムの１つまたは複数の態様をスケーリングするための手段と、
コード領域内で１つまたは複数の態様を変更することを通して、前記フレキシブル帯域幅システムの前記１つまたは複数の態様の前記スケーリングを補償するための手段とを備えるワイヤレス通信システム。
[Ｃ１６]
前記コード領域内で１つまたは複数の態様を変更することを通して、前記フレキシブル帯域幅システムの前記１つまたは複数の態様の前記スケーリングを補償するための前記手段が、
拡散率を識別するための手段と、
調整された拡散率を生成するために、前記スケーリング係数を利用して、前記拡散率を調整するための手段と
を備える、Ｃ１５に記載のワイヤレス通信システム。
[Ｃ１７]
少なくともパンクチャリングプロセスまたは反復プロセスを通して、レートチューニングマッチングを適用するための手段
をさらに備える、Ｃ１６に記載のワイヤレス通信システム。
[Ｃ１８]
少なくとも前記調整された拡散率またはより遅い電力制御を補償するために、送信電力を増大させるための手段
をさらに備える、Ｃ１６に記載のワイヤレス通信システム。
[Ｃ１９]
前記コード領域内で１つまたは複数の態様を変更することを通して、前記フレキシブル帯域幅システムの前記１つまたは複数の態様の前記スケーリングを補償するための前記手段が、
ＭＡＣ層からボイスフレームを受信するための手段と、
ＰＨＹ層における１つまたは複数の通常フレーム境界に対して、１つまたは複数のスロット境界を決定するための手段と、
前記１つまたは複数のスロット時間境界のうちの１つにおいて、前記ボイスフレームを送信するための手段と
を備える、Ｃ１５に記載のワイヤレス通信システム。
[Ｃ２０]
前記１つまたは複数のスロット時間境界のうちの１つにおいて、前記ボイスフレームを送信するための前記手段が、
ある時間期間だけ前記ボイスフレームを送信することを遅延させるための手段をさらに備える、Ｃ１９に記載のワイヤレス通信システム。
[Ｃ２１]
前記時間期間が追加のスロット時間境界を備える、Ｃ２０に記載のワイヤレス通信システム。
[Ｃ２２]
前記コード領域内で１つまたは複数の態様を変更することを通して、前記フレキシブル帯域幅システムの前記１つまたは複数の態様の前記スケーリングを補償するための前記手段が、
ボイスフレームを識別するための手段と、
前記スケーリング係数に基づいて、前記ボイスフレームを複数のサブブロックにセグメント化するための手段と、
前記複数のサブブロックを複数のチャネル上で同時に送信するための手段とを備える、Ｃ１５に記載のワイヤレス通信システム。
[Ｃ２３]
前記複数のチャネルのカーディナリティが、前記スケーリング係数に等しい、Ｃ２２に記載のワイヤレス通信システム。
[Ｃ２４]
前記複数のチャネルのカーディナリティが、前記スケーリング係数を超える、Ｃ２２に記載のワイヤレス通信システム。
[Ｃ２５]
前記コード領域内で１つまたは複数の態様を変更することを通して、前記フレキシブル帯域幅システムの前記１つまたは複数の態様の前記スケーリングを補償するための前記手段が、
前記フレキシブル帯域幅システムの前記１つまたは複数の態様の前記スケーリングによって影響を受けるデータレートを維持するために、コードレートを調整するための手段を備える、Ｃ１５に記載のワイヤレス通信システム。
[Ｃ２６]
前記コード領域内で１つまたは複数の態様を変更することを通して、前記フレキシブル帯域幅システムの前記１つまたは複数の態様の前記スケーリングを補償するための前記手段が、
前記フレキシブル帯域幅システムの前記１つまたは複数の態様の前記スケーリングによって影響を受けるデータレートを維持するために、変調方式を調整するための手段を備える、Ｃ１５に記載のワイヤレス通信システム。
[Ｃ２７]
前記コード領域内で１つまたは複数の態様を変更することを通して、前記フレキシブル帯域幅システムの前記１つまたは複数の態様の前記スケーリングを補償するための前記手段が、
受信されたボイスフレームを少なくとも復調または復号するために、サブフレーム復号方式を利用するための手段
を備える、Ｃ１５に記載のワイヤレス通信システム。
[Ｃ２８]
前記コード領域内で１つまたは複数の態様を変更することを通して、前記フレキシブル帯域幅システムの前記１つまたは複数の態様の前記スケーリングを補償するための前記手段が、
前記スケーリング係数に基づいて、ＡＭＲコーデックレートを調整するための手段を備える、Ｃ１５に記載のワイヤレス通信システム。
[Ｃ２９]
フレキシブル帯域幅システム上でボイスサービスを提供するためのコンピュータプログラム製品であって、
前記フレキシブル帯域幅システムのスケーリング係数を識別するためのコードと、
前記スケーリング係数に基づいて、前記フレキシブル帯域幅システムの１つまたは複数の態様をスケーリングするためのコードと、
コード領域内で１つまたは複数の態様を変更することを通して、前記フレキシブル帯域幅システムの前記１つまたは複数の態様の前記スケーリングを補償するためのコードと
を備える非一時的コンピュータ可読媒体
を備えるコンピュータプログラム製品。
[Ｃ３０]
前記コード領域内で１つまたは複数の態様を変更することを通して、前記フレキシブル帯域幅システムの前記１つまたは複数の態様の前記スケーリングを補償するための前記コードが、
拡散率を識別するためのコードと、
調整された拡散率を生成するために、前記スケーリング係数を利用して、前記拡散率を調整するためのコードと
を備える、Ｃ２９に記載のコンピュータプログラム製品。
[Ｃ３１]
前記非一時的コンピュータ媒体が、
少なくともパンクチャリングプロセスまたは反復プロセスを通して、レートチューニングマッチングを適用するためのコード
をさらに備える、Ｃ３０に記載のコンピュータプログラム製品。
[Ｃ３２]
前記非一時的コンピュータ媒体が、
少なくとも前記調整された拡散率またはより遅い電力制御を補償するために、送信電力を増大させるためのコード
をさらに備える、Ｃ３０に記載のコンピュータプログラム製品。
[Ｃ３３]
前記コード領域内で１つまたは複数の態様を変更することを通して、前記フレキシブル帯域幅システムの前記１つまたは複数の態様の前記スケーリングを補償するための前記コードが、
ＭＡＣ層からボイスフレームを受信するためのコードと、
ＰＨＹ層における１つまたは複数の通常フレーム境界に対して、１つまたは複数のスロット境界を決定するためのコードと、
前記１つまたは複数のスロット時間境界のうちの１つにおいて、前記ボイスフレームを送信するためのコードと
を備える、Ｃ２９に記載のコンピュータプログラム製品。
[Ｃ３４]
前記１つまたは複数のスロット時間境界のうちの１つにおいて、前記ボイスフレームを送信するための前記コードが、
ある時間期間だけ前記ボイスフレームを送信することを遅延させるためのコードをさらに備える、Ｃ３３に記載のコンピュータプログラム製品。
[Ｃ３５]
前記時間期間が追加のスロット時間境界を備える、Ｃ３４に記載のコンピュータプログラム製品。
[Ｃ３６]
前記コード領域内で１つまたは複数の態様を変更することを通して、前記フレキシブル帯域幅システムの前記１つまたは複数の態様の前記スケーリングを補償するための前記コードが、
ボイスフレームを識別するためのコードと、
前記スケーリング係数に基づいて、前記ボイスフレームを複数のサブブロックにセグメント化するためのコードと、
前記複数のサブブロックを複数のチャネル上で同時に送信するためのコードとを備える、Ｃ２９に記載のコンピュータプログラム製品。
[Ｃ３７]
前記複数のチャネルのカーディナリティが、前記スケーリング係数に等しい、Ｃ３６に記載のコンピュータプログラム製品。
[Ｃ３８]
前記複数のチャネルのカーディナリティが、前記スケーリング係数を超える、Ｃ３６に記載のコンピュータプログラム製品。
[Ｃ３９]
前記コード領域内で１つまたは複数の態様を変更することを通して、前記フレキシブル帯域幅システムの前記１つまたは複数の態様の前記スケーリングを補償するための前記コードが、
前記フレキシブル帯域幅システムの前記１つまたは複数の態様の前記スケーリングによって影響を受けるデータレートを維持するために、コードレートを調整するためのコードを備える、Ｃ２９に記載のコンピュータプログラム製品。
[Ｃ４０]
前記コード領域内で１つまたは複数の態様を変更することを通して、前記フレキシブル帯域幅システムの前記１つまたは複数の態様の前記スケーリングを補償するための前記コードが、
前記フレキシブル帯域幅システムの前記１つまたは複数の態様の前記スケーリングによって影響を受けるデータレートを維持するために、変調方式を調整するためのコードを備える、Ｃ２９に記載のコンピュータプログラム製品。
[Ｃ４１]
前記コード領域内で１つまたは複数の態様を変更することを通して、前記フレキシブル帯域幅システムの前記１つまたは複数の態様の前記スケーリングを補償するための前記コードが、
受信されたボイスフレームを少なくとも復調または復号するために、サブフレーム復号方式を利用するためのコード
を備える、Ｃ２９に記載のコンピュータプログラム製品。
[Ｃ４２]
前記コード領域内で１つまたは複数の態様を変更することを通して、前記フレキシブル帯域幅システムの前記１つまたは複数の態様の前記スケーリングを補償するための前記コードが、
前記スケーリング係数に基づいて、ＡＭＲコーデックレートを調整するためのコードを備える、Ｃ２９に記載のコンピュータプログラム製品。
[Ｃ４３]
フレキシブル帯域幅システム上でボイスサービスを提供するために構成されたワイヤレス通信デバイスであって、
前記フレキシブル帯域幅システムのスケーリング係数を識別することと、
前記スケーリング係数に基づいて、前記フレキシブル帯域幅システムの１つまたは複数の態様をスケーリングすることと、
コード領域内で１つまたは複数の態様を変更することを通して、前記フレキシブル帯域幅システムの前記１つまたは複数の態様の前記スケーリングを補償することと
を行うように構成された少なくとも１つのプロセッサと、
前記少なくとも１つのプロセッサに結合された少なくとも１つのメモリと
を備えるワイヤレス通信デバイス。
[Ｃ４４]
前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
拡散率を識別することと、
調整された拡散率を生成するために、前記スケーリング係数を利用して、前記拡散率を調整することと
を行うための構成を備える、Ｃ４３に記載のワイヤレス通信デバイス。
[Ｃ４５]
前記少なくとも１つのプロセッサが、
少なくともパンクチャリングプロセスまたは反復プロセスを通して、レートチューニングマッチングを適用すること
を行うようにさらに構成される、Ｃ４４に記載のワイヤレス通信デバイス。
[Ｃ４６]
前記少なくとも１つのプロセッサが、
少なくとも前記調整された拡散率またはより遅い電力制御を補償するために、送信電力を増大させること
を行うようにさらに構成される、Ｃ４４に記載のワイヤレス通信デバイス。
[Ｃ４７]
前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
ＭＡＣ層からボイスフレームを受信することと、
ＰＨＹ層における１つまたは複数の通常フレーム境界に対して、１つまたは複数のスロット境界を決定することと、
前記１つまたは複数のスロット時間境界のうちの１つにおいて、前記ボイスフレームを送信することと
を行うための構成を備える、Ｃ４３に記載のワイヤレス通信デバイス。
[Ｃ４８]
前記１つまたは複数のスロット時間境界のうちの１つにおいて、前記ボイスフレームを送信することを行うように構成された前記少なくとも１つのプロセスが、
ある時間期間だけ前記ボイスフレームを送信することを遅延させること
を行うようにさらに構成される、Ｃ４７に記載のワイヤレス通信デバイス。
[Ｃ４９]
前記時間期間が追加のスロット時間境界を備える、Ｃ４８に記載のワイヤレス通信デバイス。
[Ｃ５０]
前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
ボイスフレームを識別することと、
前記スケーリング係数に基づいて、前記ボイスフレームを複数のサブブロックにセグメント化することと、
前記複数のサブブロックを複数のチャネル上で同時に送信することと
を行うための構成を備える、Ｃ４３に記載のワイヤレス通信デバイス。
[Ｃ５１]
前記複数のチャネルのカーディナリティが、前記スケーリング係数に等しい、Ｃ５０に記載のワイヤレス通信デバイス。
[Ｃ５２]
前記複数のチャネルのカーディナリティが、前記スケーリング係数を超える、Ｃ５０に記載のワイヤレス通信デバイス。
[Ｃ５３]
前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
前記フレキシブル帯域幅システムの前記１つまたは複数の態様の前記スケーリングによって影響を受けるデータレートを維持するために、コードレートを調整することを行うための構成を備える、Ｃ４３に記載のワイヤレス通信デバイス。
[Ｃ５４]
前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
前記フレキシブル帯域幅システムの前記１つまたは複数の態様の前記スケーリングによって影響を受けるデータレートを維持するために、変調方式を調整すること
を行うための構成を備える、Ｃ４３に記載のワイヤレス通信デバイス。
[Ｃ５５]
前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
受信されたボイスフレームを少なくとも復調または復号するために、サブフレーム復号方式を利用すること
を行うための構成を備える、Ｃ４３に記載のワイヤレス通信デバイス。
[Ｃ５６]
前記コード領域内で１つまたは複数の態様を変更することを通して、前記フレキシブル帯域幅システムの前記１つまたは複数の態様の前記スケーリングを補償することを行うように構成された前記少なくとも１つのプロセッサが、
前記スケーリング係数に基づいて、ＡＭＲコーデックレートを調整することを行うための構成を備える、Ｃ４３に記載のワイヤレス通信デバイス

【図１】
0005944521.tif 000011
【図２Ａ】
0005944521.tif 000012
【図２Ｂ】
0005944521.tif 000013
【図３】
0005944521.tif 000014
【図４】
0005944521.tif 000015
【図５Ａ】
0005944521.tif 000016
【図５Ｂ】
0005944521.tif 000017
【図５Ｃ】
0005944521.tif 000018
【図６Ａ】
0005944521.tif 000019
【図６Ｂ】
0005944521.tif 000020
【図６Ｃ】
0005944521.tif 000021
【図７Ａ】
0005944521.tif 000022
【図７Ｂ】
0005944521.tif 000023
【図８】
0005944521.tif 000024
【図９】
0005944521.tif 000025
【図１０】
0005944521.tif 000026
【図１１】
0005944521.tif 000027
【図１２】
0005944521.tif 000028
【図１３】
0005944521.tif 000029
【図１４】
0005944521.tif 000030
【図１５Ａ】
0005944521.tif 000031
【図１５Ｂ】
0005944521.tif 000032
【図１５Ｃ】
0005944521.tif 000033
【図１５Ｄ】
0005944521.tif 000034
【図１５Ｅ】
0005944521.tif 000035
【図１５Ｆ】
0005944521.tif 000036
【図１５Ｇ】
0005944521.tif 000037
【図１５Ｈ】
0005944521.tif 000038